(57)【要約】   分光計システム（１１０）および分光計装置（１１２）であって、具体的には赤外線（ＩＲ）スペクトル領域における調査又は監視の目的、および、熱、炎、火災、または煙の検出に適した分光計システム（１１０）および分光計装置（１１２）が開示されている。  ここで、分光計装置（１１２）は、  −  物体（１１６）からの入射光（１１４）を受け取り、前記入射光（１１４）を可変長フィルタ（１１８）に伝達するように設計された光学要素（１２２）であって、前記光学要素（１２２）は、前記入射光（１１４）が前記分光計装置（１１２）の光軸（１２３）に対して非対称である光路に沿って前記可変長フィルタ（１１８）に伝達されるように配置されている、光学要素（１２２）；  −  前記入射光（１１４）を構成波長信号のスペクトルに分離するように割り当てられた前記可変長フィルタ（１１８）；および、  −  複数のピクセル化センサ（１４４）を有する検出器アレイ（１２０）であって、前記各ピクセル化センサ（１４４）は前記構成波長信号の１つの少なくとも一部を受信するように適合され、前記各構成波長信号は各構成波長の強度に関連する、検出器アレイ（１２０）、を有する。  分光計装置（１１２）は、物体（１１６）からの入射光（１１４）を捕捉し、特に高い集光効率で入射光（１１４）を可変長フィルタ（１１８）に伝達することを可能にする。分光計装置（１１２）とは別に、分光計システム（１１０）はさらに、分光計装置（１１２）によって提供される検出器信号（１７２、１７２'、１７２''）を評価することにより物体（１１６）のスペクトルに関連する情報を決定するように割り当てられた評価ユニット（１５０）を含む。【選択図】図１
2021507230.tif 000002
【特許請求の範囲】
【請求項１】
分光計装置（１１２）であって、
−  物体（１１６）からの入射光（１１４）を受け取り、前記入射光（１１４）を可変長フィルタ（１１８）に伝達するように設計された光学要素（１２２）であって、前記光学要素（１２２）は、前記入射光（１１４）が前記分光計装置（１１２）の光軸（１２３）に対して非対称である光路に沿って前記可変長フィルタ（１１８）に伝達されるように配置され、前記光学要素（１２２）は非対称形状を有している、光学要素（１２２）；
−  前記入射光（１１４）を構成波長信号のスペクトルに分離するように割り当てられた前記可変長フィルタ（１１８）；および、
−  複数のピクセル化センサ（１４４）を有する検出器アレイ（１２０）であって、前記各ピクセル化センサ（１４４）は前記構成波長信号の１つの少なくとも一部を受信するように適合され、前記各構成波長信号は各構成波長の強度に関連する、検出器アレイ（１２０）、
を有する、分光計装置（１１２）。
【請求項２】
前記光学要素（１２２）は、逆方向（１２６）に作動する集光装置（１２４）、伝達要素（２００）、またはバッフルフィルタ（２０４）のうちの少なくとも１つから選択される、請求項１に記載の装置（１１２）。
【請求項３】
前記集光装置（１２４）が、円錐形状（１２８）または非円錐形状（１７４）を含み、前記集光装置（１２４）の前記非円錐形状（１７４）が、放物線形状（１７８）または楕円形状（１８２）から選択される形状を含む、請求項２に記載の装置（１１２）。
【請求項４】
前記集光装置（１２４）は、前記可変長フィルタ（１１８）に対して非対称に配置され、前記集光装置（１２４）は、前記可変長フィルタ（１１８）の受信面（１３６）に垂直な平面に対して傾斜している、請求項１〜３のいずれか一項に記載の装置（１１２）。
【請求項５】
前記集光装置（１２４）は、前記可変長フィルタ（１１８）に伝達される前記入射光（１１４）が、前記入射光（１１４）の波長を受けるように設計された前記可変長フィルタ（１１８）の空間位置（１３８）で前記可変長フィルタ（１１８）の前記受信面（１３６）に垂直に衝突するように、又は、前記入射光（１１４）の波長を超えるさらなる波長を受けるように設計された前記可変長フィルタ（１１８）のさらなる空間位置（１３８'）で衝突するように、前記可変長フィルタ（１１８）の前記受信面（１３６）に垂直な面に対して傾斜されている、請求項４に記載の装置（１１２）。
【請求項６】
前記集光装置（１２４）は、前記入射光（１１４）を反射するように適合された少なくとも２つの側壁（１６６）を有している、請求項１〜５のいずれか一項に記載の装置（１１２）。
【請求項７】
前記伝達要素（２００）は、単一レンズまたは少なくとも２つの単一レンズを有する複合レンズを含み、前記伝達要素（２００）は非対称特性を示し、前記伝達要素（２００）の前記非対称特性は、非対称レンズ形状、非対称複合レンズ、または前記単一レンズまたは前記複合レンズの、前記分光計装置（１１２）の前記光軸（１２３）に対する非対称配置のうち少なくとも１つから選択される、請求項２〜６のいずれか一項に記載の装置（１１２）。
【請求項８】
前記バッフルフィルタ（２０４）の前記非対称特性は、前記バッフルフィルタ（２０４）の非対称形状または前記バッフルフィルタ（２０４）の、分光計システム（１１０）の前記光軸（１２３）に対する非対称配置の少なくとも１つから選択される、請求項２〜７のいずれか一項に記載の装置（１１２）。
【請求項９】
前記バッフルフィルタ（２０４）の非対称配置は、前記分光計システム（１１０）の前記光軸（１２３）に対する前記バッフルフィルタ（２０４）の傾斜配置及び／又はバッフル平面（２０６）の表面上に選択的にコーティングされた区分（２０８）を備えたバッフルフィルタ（２０４）を含む、請求項８に記載の装置（１１２）。
【請求項１０】
前記検出器アレイ（１２０）が透明な隙間（１４６）を介して前記可変長フィルタ（１１８）から分離されている、請求項１〜９のいずれか一項に記載の装置（１１２）。
【請求項１１】
前記物体（１１６）を照射するように適合された照射源（１５４）をさらに含む、請求項１〜１０のいずれか一項に記載の装置（１１２）。
【請求項１２】
前記照射源（１５４）が白熱灯（１５６）を含む、請求項１１に記載の装置（１１２）。
【請求項１３】
分光計システム（１１０）であって、
−  請求項１〜１２のいずれか一項に記載の分光計装置（１１２）；および、
−  前記分光計装置（１１２）によって提供される検出器信号（１７２，１７２’，１７２”）を評価することにより、物体（１１６）のスペクトルに関する情報を決定するように割り当てられた評価ユニット（１５０）、
を有する、分光計システム（１１０）。
【請求項１４】
前記物体（１１６）を照射するように適合された照射源（１５４）をさらに備える、請求項１３に記載のシステム（１１０）。
【請求項１５】
使用目的が：赤外線検出用途；；熱検出用途；温度計用途；熱探索用途；火炎検出用途；火災検出用途；煙検出用途；温度感知用途；分光用途；排気ガス監視用途；燃焼プロセス監視用途；汚染監視用途；工業プロセス監視用途；化学プロセス監視用途；食品加工プロセス監視用途；水質監視用途；大気質監視用途；品質管理用途；温度制御用途；運動制御用途；排気制御用途；ガス感知用途；ガス分析用途；運動感知用途；化学感知用途、からなる群から選択される、分光計装置（１１２）に言及する請求項１〜１２のいずれか一項に記載の分光計装置（１１２）の使用、または、分光計システム（１１０）に言及する請求項１３又は１４に記載の分光計システム（１１０）の使用。
【発明の詳細な説明】
【技術分野】
【０００１】
本発明は、分光計装置、分光計装置を含む分光計システム、および、分光計装置および分光計システムの様々な使用に関する。そのような装置とシステムは、一般的に、具体的に赤外線（ＩＲ）スペクトル領域、特に近赤外線（ＮＩＲ）と中赤外線（ＭｉｄＩＲ）スペクトル領域における調査又は監視のために、および、熱、炎、火災、または煙の検出のために採用され得る。しかしながら、さらなる種類の適用が可能である。
【背景技術】
【０００２】
赤外線（ＩＲ）スペクトル領域、特に近赤外線（ＮＩＲ）スペクトル領域の調査用のさまざまな分光計装置と分光計システムが知られている。特に、線形可変フィルタ（ＬＶＦ）と検出器アレイとの組み合わせを有する分光計装置がすでに提案されている。ここで、ＬＶＦは、物体から捕捉された光を構成波長信号のスペクトルに分離するために割り当てられ、一方、検出器アレイは複数のピクセルを含み、複数のピクセルのそれぞれは、各構成波長の出力測定値を提供する複数の構成波長信号の少なくとも一部を受け取るように配置されている。通常、入射光がＬＶＦの受信面に垂直な方式でＬＶＦに当たるようにするために、バッフルがこの目的のために使用されるが、しかし一般に、これは光処理量が低く、信号対ノイズ比が低い。
【０００３】
ＵＳ  ２０１４／１３１５７８  Ａ１は、サンプルと相互作用する光を第１焦点比で取得するテーパーライトパイプ（ＴＬＰ）とともに、サンプルに光を向け、第１焦点比よりも低い第２焦点比でその光をＬＶＦに配送する照射源を有する移動式の分光計装置を開示している。好ましくは、ＴＬＰは、一端がレンズ付きで、段付き内壁を備えた保護ブーツに埋め込まれている。さらに、ＴＬＰとＬＶＦの間の隙間は、解像度と堅牢性をさらに向上させるために、最小化されている。ここに開示されたＴＬＰは、用語「集光装置」とも表すこともでき、集光装置は、捕捉された光を広げること、および、捕捉された光の角拡散を低減することの逆方向に操作され、円錐形状を含んでいることが、ここで強調される。
【０００４】
ただし、たとえば、Ｓ．ＭａｄａｌａとＲＦ  Ｂｏｅｈｍの、「静止誘電体で満たされた非画像化集光器に対する反射損失の影響」、Ｊ．Ｐｈｏｔｏｎｉｃｓ  ｆｏｒ  Ｅｎｅｒｇｙ  ６（４）、０４７００２、２０１６年、に記載されているように、円錐形状を含む集光装置は集束効率が低いという問題がある。Ｓ．Ｍａｄａｌａらによってさらに説明されているように、屈折型非画像化ソーラー集光器の性能パラメータに対するフレネル反射および全内部反射（ＴＩＲ）の損失の影響は、性能パラメータに影響を与え、それによりエネルギー収集に影響する。この目的のために、Ｓ．Ｍａｄａｌａらは、円錐集光器（Ｖトラフ集光器）、複合放物線集光器（ＣＰＣ）、複合楕円集光器（ＣＥＣ）、および複合双曲線集光器（ＣＨＣ）を含む、４つの異なるタイプの静止誘電体で満たされた非画像化集光器に対するフレネル反射とＴＩＲ損失の影響を説明するために、レイトレーシング分析を実行した。彼らの発見によれば、誘電性充填材料の屈折率（ＲＩ）は、固体の非画像化集光器の受容角を決定しる。より大きな屈折率は、より大きな受容角を生じ、従ってより大きなエネルギー収集を生じるが、フレネル反射損失も増加させる。
【０００５】
Ｌｕｎ  Ｊ．とＲ．Ｗｉｎｓｔｏｎらの、「複合楕円集光器（ＣＥＣ）の非対称設計とその幾何学的フラックスの影響」、Ｐｒｏｃ．ＳＰＩＥ、９５７２、２０１５年は、さらなる非画像化光学要素として非対称複合楕円集光器（ＣＥＣ）に関する理論的な論文を提供している。ここで、彼らは、理想的な集光器を理解する従来の方法は、均一な受容角に基づいて集光率を最大化することに基づいていると述べている。このような角度はＣＥＣには存在しないが、熱力学的法則は依然として適用され、この一般的な問題を解決するために、ストリング法を使用することにより、集光器はそれによって許容される最大の集光率で考えられてきた。その結果、幾何学的フラックス場またはフローライン法を使用した理想的な集光器のグループが得られた。
【０００６】
ＵＳ  ２０１３／１２０７５４  Ａ１は、フィゾーウェッジ干渉フィルタが、焦点面アレイ（ＦＰＡ）と可視シーンとの間に配置され、スキャン方向に沿って変化する、増大するウェッジフィルタ寸法を有する装置および方法を開示している。ここで、シーンは、異なるウェッジフィルタの厚さを介して異なるＦＰＡセンサ要素を使用して、異なる時間に所定のシーン位置の光強度測定値を得るために、ＦＰＡに沿ってスキャンされる。装置は、入射光が、装置の光軸に対して非対称である光路に沿ってＦＰＡセンサ要素に伝達されるように配置されてもよい。ここでは、光学要素はレンズである。
【０００７】
ＵＳ  ２００６／０６５８３３  Ａ１は、フィルタの長さに沿って可変的に光を選択的に透過させるための、光ビームの経路内に配置された線形可変フィルタ（ＬＶＦ）と、透過光のスペクトル特性を測定するための、ＬＶＦを透過した光の経路内に配置された光検出器アレイと、光ビームをコリメート(collimating)するための、入力ポートとＬＶＦとの間に配置されたコリメート手段とを用いた、光チャネル監視装置を開示している。装置は、入射光が装置の光軸に対して非対称な光路に沿って光検出器アレイに伝達されるように、配置されていてもよい。ここで、光学要素は、シリンドリカルレンズを含む。
【０００８】
ＵＳ  ２００８／１５６９６９  Ａ１は、非対称に配置された光偏向素子と、バンドパスフィルタアレイと、および、検出器アレイとを開示している。ここでは、光学要素として機能する光偏向素子は、１つを除く全てのフィルタ群のバンドパスフィルタの有効バンドパス曲線を分光的にシフトし、すべてのバンドパスフィルタの有効バンドパス曲線のスペクトル位置が異なるようする。その結果、いくつかの異なるバンドパスフィルタのみを用いてフィルタチャネルの乗算を実現することができる。
【０００９】
特開平０４−３２６０２８  Ａは、コリメート手段によってスリットを平行光束に変え、ビーム径変換手段によって拡散させるために一次元方向から放出される光束からなる測定光と、二次元強度分布測定手段を備えた複雑な干渉フィルタ装置とを開示している。光学要素はレンズを含む。装置の非対称性は、検出器の特定の配置によって導入される。
【００１０】
米国特許第５，６１５，６７３  Ａ号は、関心領域から戻るラマン散乱光を光学的に収集するために使用される複合パラボラ集光器（ＣＰＣ）を開示している。ここで、ＣＰＣは、半球全体に放射された光を、光ファイバやレンズなどの従来の光学系で収集できる狭い円錐に変換する通常の構成で使用される非画像化光学要素である。
【発明の概要】
【発明が解決しようとする課題】
【００１１】
したがって、本発明によって解決される問題は、特に、赤外線（ＩＲ）スペクトル領域、特に近赤外線（ＮＩＲ）スペクトル領域での調査に適し得、このタイプの既知の装置およびシステムの欠点を少なくとも実質的に回避する、分光計装置および分光計システムを提供することである。
【００１２】
特に、物体からの光を捕捉し、捕捉された光を、現在可能なものより高い集光率で線形可変フィルタに伝達するように設計された光学要素を有する、改善された簡単で費用効率が高く、なおかつ信頼性の高い分光計装置をもたらすのが望ましい。
【課題を解決するための手段】
【００１３】
この問題は、独立特許請求項の特徴を備えた本発明によって解決される。個別にまたは組み合わせて実施できる本発明の有利な展開は、従属請求項及び／又は以下の明細書及び詳細な実施形態に示されている。
【００１４】
本明細書で使用するとき、「有する」、「備える」および「含む」という表現、ならびにそれらの文法上の変形は、非排他的な方法で使用される。したがって、「ＡはＢを有する」という表現ならびに「ＡはＢを含む」または「ＡはＢを備える」という表現はＢに加えて、Ａが１つ以上のさらなる部品及び／又は構成を含むという事実、ならびにＢ以外に、Ａに他の部品、構成、または要素が存在しない場合の両方とも指し得る。
【００１５】
本発明の第１の態様では、分光計装置が開示されている。したがって、分光計装置は、
−  物体からの入射光を受け取り、該入射光を可変長フィルタに伝達するように設計された光学要素であって、該光学要素は、入射光が分光計装置の光軸に対して非対称である光路に沿って可変長フィルタに伝達されるように配置されている、光学要素；
−  入射光を構成波長信号のスペクトルに分離するように割り当てられた可変長フィルタ；そして
−  複数のピクセル化センサを有する検出器アレイであって、各ピクセル化センサは構成波長信号の１つの少なくとも一部を受信するように適合され、各構成波長信号は各構成波長の強度に関連する、検出器アレイ、
を有する。
【００１６】
「物体」は、一般に、生きている物体および非生命体から選択される任意の物体であり得る。したがって、例として、少なくとも１つの物体は、１つ以上の物品及び／又は物品の１つ以上の部分を含むことができ、少なくとも１つの物品またはその少なくとも１つの部分は、調査に適したスペクトルを提供し得る少なくとも１つの構成を含むことができる。追加的または代替的に、物体は、１つ以上の生物及び／又はその１つ以上の部分、たとえばユーザなどの人間、及び／又は動物の１つ以上の体の部分であってもよいし、またはそれらを含んでいてもよい。
【００１７】
本明細書で使用される「光」という用語は、一般に、通常「光学スペクトル範囲」と呼ばれ、可視スペクトル範囲、紫外線スペクトル範囲、および赤外線スペクトル範囲の一つ以上を含む電磁放射の区分を指す。本明細書では、「紫外線スペクトル範囲」という用語は、一般に、１ｎｍ〜３８０ｎｍ、好ましくは１００ｎｍ〜３８０ｎｍの波長を有する電磁放射を指す。さらに、本書類の日付の有効なバージョンの標準ＩＳＯ−２１３４８に部分的に準拠して、「可視スペクトル範囲」という用語は、通常、３８０ｎｍ〜７６０ｎｍのスペクトル範囲を指す。「赤外線スペクトル範囲」（ＩＲ）という用語は、一般に７６０ｎｍ〜１０００μｍの電磁放射を指し、７６０ｎｍ〜１．５μｍの範囲は通常「近赤外線スペクトル範囲」（ＮＩＲ）と呼ばれ、１．５μｍ〜１５μｍは「中赤外線スペクトル範囲」（ＭｉｄＩＲ）として示され、１５μｍ〜１０００μｍの範囲は「遠赤外線スペクトル範囲」（ＦＩＲ）として示される。好ましくは、本発明の典型的な目的に使用される光は、赤外線（ＩＲ）スペクトル範囲の光、より好ましくは、近赤外線（ＮＩＲ）および中赤外線スペクトル範囲（ＭｉｄＩＲ）の光、特に、１μｍ〜５μｍ、好ましくは１μｍ〜３μｍの波長を有する光である。
【００１８】
物体から出る光は、物体自体から発してもよいが、代替的に別の発生源を持つこともでき、この発生源から物体に、続いて分光計装置に向かって伝播することができる。後者の場合は、特に、使用されている少なくとも１つの照射源によって影響を受け得る。したがって、物体から分光計装置に伝播する光は、物体及び／又は物体に接続された反射装置によって反射され得る光であり得る。代替的または追加的に、光は少なくとも部分的に物体を透過することができる。
【００１９】
照射源は、様々な方法で具体化することができる。したがって、照射源は、例えば、ハウジング内の分光計装置の一部であり得る。しかしながら、代替的または追加的に、少なくとも１つの照射源は、例えば別個の光源として、ハウジングの外側に構成され得る。照射源は、物体とは別に配置され、物体を所定距離から照らすことができる。上述のように、照射源は、代替的または追加的に、例えば物体から出る電磁放射が照射源によって直接生成されるなど、物体に接続されることも、物体の一部であることもできる。例として、少なくとも１つの照射源は物体の上及び／又は物体中に配置され、電磁放射を直接生成することができる。
【００２０】
照射源は、好ましくは、赤外線（ＩＲ）スペクトル範囲、特に近赤外線（ＮＩＲ）スペクトル範囲、特に白熱灯において十分な放射を提供することが知られている一種の照射源を含むことができる。代替的または追加的に、照射源は、以下の照射源：炎源；熱源；レーザ、他のタイプのレーザも使用できるが特にレーザダイオード；発光ダイオード；有機光源、特に有機発光ダイオード；ネオンライト；構造化光源、の少なくとも１つから選択されてよい。代替的または追加的に、他の照射源も使用され得る。本明細書では、物体及び／又は照射源によって放出された光が、スペクトル範囲であって、それぞれの照射源によって照射され得る検出器アレイが、特に高い強度の検出器信号を提供することができ、したがって検出器信号を十分な信号対ノイズ比で、同時に高分解能で評価することができるのを確実にする方式で、検出器アレイのスペクトル感度に密接に関連するスペクトル範囲を示し得る場合が特に好ましい。
【００２１】
一般的に使用されるように、「スペクトル」という用語は、光学スペクトル範囲、具体的に、赤外線（ＩＲ）スペクトル範囲、特に近赤外線（ＮＩＲ）スペクトル範囲の区分を指す。ここで、スペクトルの各部分は、信号波長および対応する信号強度によって定義される光信号によって構成される。さらに、「分光計装置」という用語は、スペクトルの対応する波長または波長間隔などのスペクトルの区分に関する信号強度を記録することができる装置に関し、そこでは該信号強度は、好ましくは、さらなる評価に使用できる電気信号として提供され得る。本発明による分光計装置では、可変長フィルタが、対応する強度が以下でより詳細に説明されるように検出器アレイを使用して決定される構成波長信号のスペクトルに入射光を分解するために、使用されている。さらに、物体からの入射光を受光して可変長フィルタに伝える光学要素が適用されている。ここでさらに使用されるように、「分光計システム」は、したがって、分光計装置に加えて、ここで開示されるように該分光計装置によって提供される検出器信号を評価することによって物体のスペクトルに関する情報を決定するように割り当てられた評価ユニットを備えている装置を指し得る。
【００２２】
このように、本発明によれば、分光計装置は、入射光を構成波長信号のスペクトルに分離するように割り当てられた可変長フィルタを備えている。一般的に使用されるように、「可変長フィルタ」という用語は、複数のフィルタ、好ましくは、特に、フィルタの連続配置で提供され得る複数の干渉フィルタを含む光学フィルタを指す。ここで、各フィルタは、フィルタ上の各空間位置の可変中心波長を有するバンドパスを、好ましくは連続的に単一次元に沿って形成することができ、通常それは可変長フィルタの受信面上で「長さ」という用語で表される。好ましい例では、可変中心波長は、フィルタ上の空間位置の線形関数であり得、その場合、可変長フィルタは通常「線形可変フィルタ」またはその略語「ＬＶＦ」として参照される。しかしながら、他の種類の関数が、可変中心波長とフィルタ上の空間位置との間の関係に適用可能であり得る。ここで、フィルタは、特に、赤外線（ＩＲ）スペクトル範囲内、特に以下でより詳細に説明されるような近赤外線（ＮＩＲ）スペクトル範囲内で高度の光学的透明度を示すことができる少なくとも１つの材料を含むことができる透明基板上に配置され得、これにより、フィルタの長さに沿ったフィルタの変化するスペクトル特性、特に連続的に変化するスペクトル特性を達成することができる。特に、可変長フィルタは、透明基板上に少なくとも１つの応答コーティングを担持するように適合され得るウェッジフィルタであり得、応答コーティングは、空間的に変化する特性、特に空間的に変化する厚さを示し得る。しかしながら、他の材料を含み得る、またはさらなる空間的可変特性を示し得る他の種類の可変長フィルタもまた、実行可能であり得る。入射光ビームの垂直入射角で、可変長フィルタに含まれる各フィルタは、特定のフィルタの中心波長の一部、通常は数パーセントに達し得るバンドパス幅を有し得る。例として、１４００〜１７００ｎｍの波長範囲と１％のバンドパス幅を有する可変長フィルタの場合、垂直入射角でのバンドパス幅は、１４ｎｍ〜１７ｎｍで変動し得る。しかしながら、他の例も実行可能であり得る。
【００２３】
可変長フィルタのこの特定の構成の結果として、バンドパス幅によって示される許容範囲内で、フィルタ上の特定の空間位置に割り当てられている中心波長に等しい波長を持つ入射光のみが、特定の空間位置で可変長フィルタを通過することができる。したがって、バンドパス幅の中心波長±１／２に等しくてもよい「透過波長」は、可変長フィルタ上の各空間位置に対して定義されてよい。換言すれば、送信波長で可変長フィルタを通過することができないすべての光は、可変長フィルタの受信面によって吸収されるか、またはほとんどが反射され得る。結果として、可変長フィルタは透過率が変化するため、入射光をスペクトルに分離することができる。
【００２４】
したがって、可変長フィルタ上の特定の空間位置で可変長フィルタを通過することができる光は、その後、検出器アレイに衝突することができる。言い換えれば、検出器アレイは、好ましくは、光が最初に可変長フィルタに衝突し、可変長フィルタ上の特定の空間位置を通過することができる光の区分だけが、その後、検出器アレイ上の対応する空間位置に衝突できるような方式で配置され得る。結果として、可変長フィルタは、したがって、関連する波長または複数波長によって入射光を少なくとも１つの対応する空間位置に分離するために使用され得、一方、検出器アレイに含まれる特定の光センサは、従って、その特定の波長によって対応する空間位置で可変長フィルタを通過でき、したがって、特定の波長における入射光の強度を決定するために備えられた特定の光センサを衝突する光の強度を測定するように採用され得る。したがって、特に好ましい実施形態では、検出器アレイは、一連の光センサの形で続けて配置された光センサのシーケンスを有してよく、該光センサのシーケンスは、可変長フィルタの長さに沿った干渉フィルタの連続配置に関して平行に配置されてよい。
【００２５】
さらに好ましい実施形態では、検出器アレイは、好ましくは、可変長フィルタから透明な隙間を介して分離され得る。ここで、透明な隙間は、例として、対向する２面を有する延長透明体を使用することによって得ることができ、可変長フィルタを構成し得る複数の干渉フィルタを第１の面に配置し、検出器アレイを構成する光センサを、第１の面と反対の第２の面に配置してよい。結果として、透明な隙間のため適切な幅を選択することにより、可変長フィルタに対する検出器アレイのより正確な調整が達成され得る。
【００２６】
したがって、検出器アレイは、好ましくは、可変長フィルタの長さに沿って１次元マトリックスとして単一のラインに、または可能な限り入射光の強度の大部分を受け取るために、複数のラインに、特に２本、３本または４本のラインに、２次元マトリックスの形で、配置された一連の光センサを有することができる。したがって、一次元の１×Ｎマトリックスまたは長方形の二次元のＭ×Ｎマトリックスが得られるように、一方向のピクセル数Ｎは、さらなる方向のピクセル数Ｍと比較して高くてもよく、ここで、Ｍ＜１０およびＮ≧１０、好ましくはＮ≧２０、より好ましくはＮ≧５０である。さらに、本明細書で使用されるマトリックスは、千鳥配置で配置されてもよい。ここで、使用される各光センサは、特に一連の光センサの製造を容易にするために、同じ、または許容レベル内で類似の、光感度を有することができる。あるいは、一連の光センサで使用される各光センサは、たとえば、一連の光センサに沿って、波長に対する光感度の増加する変化または減少する変化を提供するなどにより、可変長フィルタの透過率特性の変化に応じて変化する光感度を示してもよい。しかしながら、他の種類の構成も可能であるかもしれない。
【００２７】
具体的に、分光計装置の高解像度を達成するために、各光センサは、したがって、小さな空間角度でのみ入射光を受け取るように適合され得る。この配置は、特に、フィルタの長さに沿った入射光の衝突の空間位置に応じて所望のスペクトルを生成するように設計された可変長フィルタの構成を反映している。この特定の構成は、本発明によれば、したがって、複数のピクセル化センサを含む検出器アレイによって達成され、そこでは、各ピクセル化センサは、可変長フィルタによって提供される構成波長信号の１つの少なくとも一部を受信するように適合される。上記のように、構成波長信号のそれぞれは、これにより、構成波長のそれぞれの強度に関連する。一般的に使用されるように、「ピクセル化光センサ」または単に「ピクセル化センサ」という用語は、個別のピクセルセンサの配列（アレイ）を含む光センサを指し、個別のピクセルセンサのそれぞれは、入射光の強度に応じて電気信号を生成するように適合された少なくとも１つの感光性領域を有し、該電気信号は、特に、さらなる評価のために外部の評価ユニットに提供されてもよい。ここでは、各個別のピクセルセンサに含まれる感光性領域は、特に、個別のピクセルセンサに衝突する入射光を受け取るように構成された単一の均一な感光性領域とすることができる。しかしながら、ピクセル化されたセンサの他の構成も考えられ得る。
【００２８】
ピクセル化センサは、個別のピクセル化センサに衝突する入射光の強度に関連する信号、好ましくは電子信号を生成するように設計されている。信号は、アナログ信号及び／又はデジタル信号であり得る。したがって、隣接するピクセル化センサの電子信号は、同時に、または一時的に連続した方式で生成され得る。例として、行走査または線走査中に、一列に配置された一連の個別のピクセルセンサに対応する連続した電子信号を生成することが可能である。さらに、個別のピクセルセンサは、好ましくは、外部の評価ユニットに提供する前に電子信号を増幅するように適合された能動型ピクセルセンサであり得る。この目的のために、ピクセル化センサは、電子信号を処理及び／又は前処理のための１つ以上のフィルタ及び／又はアナログ−デジタル−変換器などの、１つ以上の信号処理装置を含み得る。
【００２９】
ピクセル化センサは、任意の既知のピクセルセンサから、特に、ピクセル化有機カメラ要素、好ましくは、ピクセル化有機カメラチップから、または、ピクセル化無機カメラ要素、好ましくは、ピクセル化無機カメラチップから、より好ましくは、現在さまざまなカメラで一般的に使用されているＣＣＤチップまたはＣＭＯＳチップから選択され得る。代替として、ピクセル化センサは、光伝導体、特に無機光伝導体、特にＰｂＳ、ＰｂＳｅ、Ｇｅ、ＩｎＧａＡｓ、ｅｘｔ．ＩｎＧａＡｓ、ＩｎＳｂ、またはＨｇＣｄＴｅであり得るか、またはそれを含み得る。さらなる代替として、それは、焦電、ボロメータまたはサーモパイル検出器要素を含み得る。したがって、１×ＮピクセルまたはＭ×Ｎピクセルのマトリックスを有するカメラチップが使用され得、ここでＭ＜１０およびＮ≧１０、好ましくはＮ≧２０、より好ましくはＮ≧５０である。さらに、モノクロカメラ要素、好ましくはモノクロカメラチップが使用され得、そこではモノクロカメラ要素は、特に、一連の光センサに沿う変化する波長に従って、各ピクセルセンサごとに異なって選択されてよい。
【００３０】
さらなる代替として、ピクセル化センサは、さらなる文書の中で、ＷＯ  ２０１２／１１０９２４  Ａ１、ＷＯ  ２０１４／０９７１８１  Ａ１、またはＷＯ  ２０１６／１２０３９２  Ａ１に開示されているＦｉＰセンサに基づくことができる。本明細書では、「ＦｉＰセンサ」という用語は、照射の総出力が同じであるとして、センサ信号が、いわゆる「ＦｉＰ効果」に従って、感光性領域の照射の幾何的形状、特に、「スポットサイズ」とも呼ばれる、感光性領域上の照射のビーム断面に依存する、センサを指す。結果として、感光性領域の電気的特性が入射光による感光性領域の照射の範囲に依存するという観察可能な特性は、特に、同じ総出力を有するが、感光性領域上に異なるスポットサイズを生成する２つの入射光線が、感光性領域の電気的特性に異なる値を提供し、したがって相互に区別できるということを、成し遂げる。好ましくは、各ＦｉＰセンサの感光性領域は、特にＰｂＳ、ＰｂＳｅ、またはＨｇＣｄＴｅ、または固体色素増感太陽電池（ｓＤＳＣ）から選択される光伝導性材料を含み得る。さらに、ＷＯ  ２０１４／１９８６２５  Ａ１は、ＦｉＰセンサのＭ×Ｎマトリックスを使用する検出器アレイの特定の実施形態を開示している。あるいは、さらなる種類のピクセル化センサも実現可能であり得る。
【００３１】
したがって、検出器アレイは、検出器アレイに含まれるピクセル化センサの感光性領域によって生成され得る複数の電気信号を、提供するように適合され得る。分光計装置の検出器アレイによって提供される電気信号は、外部の評価ユニット、特に、以下でより詳細に説明される対応の分光計システムに含まれ得る評価ユニットに伝達されてよい。本明細書では、「評価ユニット」という用語は、特に、本明細書に記載された分光計装置を使用することによって、スペクトルが記録される物体のスペクトルに関する情報を決定するように割り当てられた装置を指し、そこでは、情報が、分光計装置の検出器アレイによって提供される検出器信号が評価されることにより、取得される。情報は、例えば、電子的、視覚的、音響的に、またはそれらの任意の組み合わせで提供されてよい。さらに、情報は、分光計装置、好ましくは分光計システム、または別個の記憶装置のデータ記憶装置に記憶され得、及び／又は無線インターフェース及び／又は有線インターフェースなどの少なくとも１つのインターフェースを介して提供され得る。
【００３２】
本発明によれば、分光計装置はさらに、物体からの入射光を受け取り、同時に入射光を可変長フィルタに伝達するように割り当てられた光学要素をさらに含み、該光学要素は、捕捉された光が分光計装置の光軸に対して非対称である光路に沿って可変長フィルタに伝達されるように配置されている。本明細書で使用される場合、「光軸」という用語は、光学要素から離れた分光器装置の他の要素が通る、特に、可変長フィルタと検出器アレイが、反射または回転に関して不変であり得る、対称性の仮想線を指す。捕捉された光を可変長フィルタに伝達することは、したがって、少なくとも１つの光学要素を使用することによって達成することができ、光学要素の少なくとも１つの特性、特に、分光計装置の光軸に対する光学要素の形状または光学要素の配置の少なくとも１つは、分光計装置の光軸に対して非対称の進路を示し得る光路をもたらし得る。
【００３３】
物体またはその少なくとも１つの要素に関して、「対称」または「対称的」という用語は、一般的に使用されるように、特に、反射、回転、並進及び／又はそれらの組み合わせを含み得る、通常「幾何学的変換」として呼ばれる少なくとも１つの操作の適用に対して不変であり得る、形状またはその少なくとも１つの要素を有する物体の幾何学的特性を指す。この場合、しかしながら、好ましい幾何学的変換は、反射および回転であり得る。特に、物体またはその要素は、もしも軸及び／又は鏡面が、それぞれ、物体またはその要素の形状を、互いに鏡像をなす２つの区分にすることができれば、軸及び／又は鏡面に関して反射対称性を有すると見なすことができる。一例として、物体は、それらが互いに鏡像とみなすことができる反射軸に関して配置された２つの同一のミラーセグメントを含む場合、対称であるとみなすことができる同様に、物体は、少なくとも１つの固定点及び／又は物体またはその要素の回転軸を含む鏡面に関して、もしもそれが物体またはその要素の形状が変わらない方式で該固定点または鏡面のそれぞれに関して回転できるならば、回転対称性を持っていると見なすことができる。これとは対照的に、「非対称」または「非対称的」という用語は、考慮中の物体の幾何学的特性の少なくとも１つが、この物体に適用され得る幾何学的変換の少なくとも１つに対して不変ではない場合があることを示す。
【００３４】
より具体的には、以下の対称群の１つが光学要素に適用可能であり得る。一般に使用されるように、「対称群」という用語は、どの種類の幾何学的変換が物体またはその要素に適用できるかを示すことによって、物体またはその要素の特定の対称性を表す。この考慮のために、特定の対称群は、特に、いわゆる「シェーンフリエ記法」を使用して表されることができる。ここで、以下のように定義される以下の用語は、好ましくは、その要素の本体の形状に適用できる。
【００３５】
−  Ｃ∞は、円錐台の対称性を指し、円錐台の形状は、円錐台の回転軸を含む鏡面に対して任意の角度を中心とした回転の下に保存される；
−  Ｃ４ｖは正方形ピラミッドトランクを指し、正方形ピラミッドトランクの形状は、正方形ピラミッドトランクの回転軸を含む鏡面に対して３６０°／４＝９０°の角度の回転の下でのみ保存される；
−  Ｃ２ｖは、正方形ピラミッドトランクとは別の長方形ピラミッドトランクを指し、長方形ピラミッドトランクの形状は、長方形ピラミッドトランクの回転軸を含む鏡面に対して３６０°／２＝１８０°の角度の回転の下でのみ保存される；
−  Ｃｓは反射対称のみを指し、そこでは物体またはその要素の形状は、鏡面での反射によってのみ保存される；
−  Ｃ２は、２重対称のみを指し、そこでは物体またはその要素の形状は、物体またはその要素の特定の回転軸に対して３６０°／２＝１８０°の角度の回転の下でのみ保存される；または、
−  Ｃ１は、対称要素がないことを示す。
【００３６】
シェーンフリエ記法の詳細については、たとえば、モートンハマーメッシュによる、「群理論とその物理的問題への応用」、Ｄｏｖｅｒ  Ｐｕｂｌｉｃａｔｉｏｎｓ、Ｍｉｎｅｏｌａ、Ｎ．Ｙ．１９８９年、第２章、対称群、３２〜６７ページを参照されたい。
【００３７】
本発明に特に関して、光学要素は、したがって、光学要素の形状が、シェーンフリエ記法による対称群Ｃ２ｖによって記述される、特に、対称群Ｃｓ、Ｃ２、またはＣ１の少なくとも１つを有し、より対称性の低い要素として示し得る場合は、非対称形状を有するものとして示され得る。これに関して、しかしながら、光学要素の対称性を考慮するために、入射光のビーム経路、特に、光学要素の入力と出力の間に位置する光ガイド構造に影響を与え得る、光学要素のそれらの区分のみが関連し得ることを強調することができる。特に、外部形状などの光学要素の他の形状は、したがって、考慮から外されてもよい。さらに、光学要素の対称性を決定するために、製造公差が考慮される。
【００３８】
同様に、光学装置内の光路、特に分光器計装置内の光路は、光路の進路が、分光器計装置の光軸に対する反射の適用に対して幾何学的変換として不変であり得るように、光学装置の光軸に従う場合には、「対称」または「対称的」という用語のうちの１つで示され得る。特に、光路の進路は、光軸がその鏡像を仮定するように光路の進路を反射できる場合、分光計装置の光軸に対して反射対称性を有すると考えることができる。これとは対照的に、「非対称」または「非対称的」という用語は、光路の進路に適用可能な分光計装置の光軸に対して、光路の進路が少なくとも１つの反射に対して不変ではない可能性があることを示し得る。
【００３９】
したがって、少なくとも１つの光学要素を介して物体から可変長フィルタに伝達される、捕捉された光の光路は、分光器計装置の光軸に対して非対称な進路を想定している。好ましくは、光路の非対称な進路は、少なくとも１つの非対称特性を有する少なくとも１つの光学要素であって、特に、
−  非対称な形状を有する光学要素であって、特に、シェーンフリエ記法による対称群Ｃ２ｖによって上述したような対称性の低い要素を示す光学要素であって、特に、対称群Ｃｓ、Ｃ２、またはＣ１のうちの少なくとも１つを有する光学要素；及び／又は
−  分光計装置の光軸に対して非対称に配置された光学要素であって、該光学要素の形状が対称形状または非対称形状のうちの１つであり得る、光学要素、
を使用することによって達成され得る。
【００４０】
様々な好ましい実施形態では、少なくとも１つの光学要素は、以下を含む群から選択され得る：
−  非対称特性を有する伝達要素；または
−  非対称特性を有するバッフルフィルタ；または
−  非対称特性を有する逆方向に作動する集光装置。
【００４１】
これにより、本発明による光学配置の対称性が破られ、それにより、驚くべきことに、廃棄される光が少なくなり、より多くの光が可変長フィルタを介して光学要素を通って検出器アレイ上に導かれる。
【００４２】
好ましい実施形態では、光学要素は、したがって、伝達要素であってもよく、または伝達要素を含んでもよく、伝達要素は、通常、共通の軸に沿って配置される単一のレンズまたは少なくとも２つの単一レンズを有する複合レンズを含むことができる。一般的に使用されるように、「レンズ」という用語は、屈折を使用することによって光ビームを集束または分散するように適合された透過型光学装置を指す。本発明によれば、伝達要素は非対称性を有していてもよく、伝達要素の非対称性は、非対称レンズ形状、非対称複合レンズ、または分光計装置の光軸に対する単一レンズもしくは複合レンズの非対称配置の少なくとも１つから選択されてよい。特に好ましい実施形態では、傾斜したレンズを使用して、傾斜した光円錐(tilted light cone)を生成することができ、そこでは全ての入射光ビームは、検出器アレイの平面に対して最大で直交するように、または代替として、より長い波長を受信するように適合され得る可変長フィルタ上の空間位置に向けられるように、配置され得る。
【００４３】
さらなる好ましい実施形態では、このように、光学要素は、非対称特性を有するバッフルフィルタであってもよく、またはそれを含んでもよい。一般に知られているように、「バッフルフィルタ」という用語は、特定の方向への光の広がりを抑制するために、特に迷光を最小限に抑えるために使用され得る装置を指す。したがって、バッフルフィルタは、特に、バッフルフィルタの表面に垂直な光ビームのみを通過させるように適合され得、このようにして、平行光ビームが、分光計装置内のビーム方向においてバッフルフィルタの後に位置する長さ可変フィルタに衝突することを可能にする。この効果は、互いに平行に配置された多数の平面バッフルプレートを提供することによって達成することができる。したがって、対称バッフルフィルタを使用すると、フィルタの透過波長が入射光ビームの入射角に依存し、入射光が非常に狭い光ビームに制限され、その結果、光スループットが低く、分光器の信号対雑音比が低くなるという効果を伴う、という可変長フィルタの主要な設計上の制限を克服することができる。
【００４４】
しかしながら、上述のように、本発明による光学配置の対称性を破ることは、驚くべきことに、より少ない光の廃棄、より多くの光の可変長フィルタを通じての検出器アレイ上への搬送を可能にする。この目的のために、非対称特性を有するバッフルフィルタが使用される。ここで、バッフルフィルタの非対称特性は、バッフルフィルタの非対称形状または、分光計システムの光軸に対するバッフルフィルタの非対称配置の少なくとも１つから選択され得る。特に、バッフルフィルタの非対称配置は、以下の実施形態において例示的に記載される傾斜バッフルのような傾斜バッフル配置を使用することによって達成することができる。さらに、バッフルフィルタの非対称形状は、バッフルプレートの表面の片側に選択的にコーティングされた区分を使用することによって得ることができ、それによって、所望の対称性の打破を達成することができる。この場合でも、非対称形状のバッフルフィルタの好ましい例が、以下の実施形態に記載されている。
【００４５】
さらに好ましい実施形態では、光学要素は、非対称特性を有する逆作動の集光装置を含むことができる。一般的に使用されるように、「集光器」という用語は、「入射瞳」または「入射開口」とも呼ばれる入力と、反対側に配置された用語「射出瞳」または「射出開口」によって表される出力と、入力と出力の間に配置された光ガイド構造とを有する非画像化光学要素を指し、集光器は、通常の作動方向では、入口で大きな角拡散で光を捕捉し、捕捉した光を光ガイド構造内で集束させ、集束した光を出力で放出する。例として、集光器は、したがって、可能な大きな入射角の下で高い太陽光集中を可能にするために、集光型太陽光発電で使用され得る。
【００４６】
これとは対照的に、集光装置は逆方向で使用され、前述した集光器の出力は、今は入射光を受け取るための入力として機能し、逆方向における光ガイド構造は好ましくは入射光を広げるように機能し、一方、前述の入力は、今は拡散光を放出するための出力として機能する。本発明の好ましい実施形態では、逆作動の集光装置の入射瞳は、好ましくは、９０°未満、より好ましくは７０°未満、特に５０°未満の入力角度を含む。さらに、この好ましい実施形態では、逆作動の集光装置の射出瞳は、好ましくは、３０°以下、より好ましくは１５°以下、特に１０°以下の出力角度を含む。これにより、出力における放出される光ビームの角拡散は、同時に、入射光に比して減少することができる。その結果、逆方向に集光装置を適用するということは、物体によって放出または反射される、または物体を通過する入射光を、逆作動の集光装置の出力で放出される光が減少した角拡散を示すように、捕捉することを可能にし、ここで、減少した角拡散は、好ましくは、最大で±２０°、好ましくは最大で±１０°、最も好ましくは最大で±５°の角度範囲に制限され得る。
【００４７】
したがって、逆方向に作動する集光装置は、したがって、放出された光ビームが制限された角度範囲内で可変長フィルタに衝突し、したがって主に可変長フィルタの受信面に垂直な方向で衝突し、すなわち、可変長フィルタの受信面に対して垂直の方式で衝突することができるように、選択または構成され得る。すでに上記で示したように、可変長フィルタに含まれる各干渉フィルタは、そのような入射光の垂直な角度で、特定の干渉フィルタの中心波長の一部にしか及ばないバンドパス幅を有し得る。その結果、入射光はかなり高い集光効率で可変長フィルタに入ることができる。
【００４８】
上述したように、通常の方向に作動する様々な形状の集光装置が以前から提示されてきた。ここでは、集光装置は、「複合放物線集光器」または「ＣＰＣ」または「複合楕円集光器」または「ＣＥＣ」と呼ばれることがある、円錐形状または形状を有することができ、一方で、さらなる形状、特に「複合双曲線集光器」または「ＣＨＣ」は、本発明の目的にはあまり適していない場合がある。ここで、一般的に使用されるように、円錐形の集光器は、互いに対して線形に開く２つの平面ミラーセグメントによって規定されてよい。さらに、複合放物線集光器は、それぞれが放物線ミラーセグメントの１つにある２つの異なる焦点を備え得る２つの放物線ミラーセグメントによって定義され得る。これにより、２つの放物線ミラーセグメントの表面は、複合放物線集光器の軸を通る反射に関して対称的に配置され得る。同様に、複合楕円集光器は、したがって、２つの楕円ミラーセグメントによって規定され得、２つの楕円ミラーセグメントの表面は、複合楕円集光器の軸を通る反射に関して対称的に配置され得る。
【００４９】
したがって、逆方向に作動する集光装置、より具体的には、光学要素の入力と出力の間に配置される光ガイド構造は、円錐形状、または好ましくは非円錐形状を備え得る。ここで、円錐形状を有する集光装置は、より容易に製造することができる。しかしながら、非円錐形状は結果として、光ビームが、逆作動の集光装置の出力における効率が増加されるように集光器を通って案内され得る。この効果は、特に逆作動の集光装置の非円錐形状に基づいており、該非円錐形状は、特に円錐形状の逆作動の集光装置とは対照的に、逆作動の集光装置の側壁によって吸収される光をより少なくする方式で、入射光を光ビームの形で、非円錐形の逆動作の集光装置を通して案内することを可能にする。その結果、より多くの光ビームが、光ビームに含まれる特定の波長を有する光ビームを受け取るように構成された可変長フィルタ上の空間位置で、可変長フィルタに到達することができる。さらに、非円錐形状の伝達関数は、逆作動の集光装置への入射角に対して、光透過のより急な開始を示し、それにより、複合放物線集光器の光透過がない状態から完全な光透過の状態への完全なバイナリ遷移の理論的な最大値を示す。伝達関数のそのような種類の急勾配は、したがって、所与の光スループットに対する分光サンプリングの領域を最小化するのに有利であり、それにより、サンプリングスポットの明確な定義を提供し、サンプリングスポットからの応答の均質化をサポートすることができる。
【００５０】
より具体的には、現在技術による光学要素に関する用語「円錐」は、シェーンフリエ記法に従って、Ｃ２ｖ、Ｃ４ｖ、またはＣ∞などのＣ２ｖ以上の対称群によって記述できる光学要素の形状、特に円錐台またはピラミッドトランクを指し、そこでは、上記のように、製造公差が考慮される。これとは対照的に、本発明による光学要素に関する用語「非円錐」は、シェーンフリエ記法に従って、上記のようにＣｓ、Ｃ２、またはＣ１などのＣ２ｖ未満の対称群によって記述できる光学要素の形状を指し、ここでも、製造公差が考慮される。言い換えれば、本発明による光学要素の入力と出力との間に位置する光ガイド構造は、好ましくは、該光学要素の入力と出力との間の半分の距離で、円錐形状の場合、光学要素の入力の第１直径と光学要素の出力の第２直径の算術平均に対応する直径を示し得る形状を含み得、ところが、該直径は、非円錐形状の場合、第１直径と第２直径の算術平均から、少なくとも１０％、好ましくは少なくとも５％、最も好ましくは少なくとも２％、特に少なくとも１％逸していて良い。
【００５１】
特定の実施形態では、逆方向に作動される集光装置の非円錐形状は、したがって、放物線形状または楕円形状から選択されるのが好ましい。その結果、集光装置は、特に、複合放物線集光器および複合楕円集光器を含む群から選択され得る。しかしながら、非円錐形状を有する他の種類の集光装置も実現可能であり得る。
【００５２】
特に、光学要素の放物線形状、特に光学要素の入力と出力の間に位置する光ガイド構造の放物線形状は、製造公差を除いて、次のように式（１）によって記述される。
【００５３】
【数１】
2021507230.tif 000003
【００５４】
ここで、ｘという用語は、光学要素の、特に、逆作動の集光装置の特に光ガイド構造の光軸に沿った値を指し、一方、ｙという用語は、光軸に垂直な値を指し、ｙ０とａは、光学要素に関して放物線形状を調整する機会を提供する。
【００５５】
同様に、光学要素の楕円形状、特に光学要素の入力と出力の間に位置する光ガイド構造の楕円形状は、製造公差を除いて、次の式（２）によって記述される。
【００５６】
【数２】
2021507230.tif 000004
【００５７】
ここで、ｘという用語は、光学要素の、特に、逆作動の集光装置の特に光ガイド構造の光軸に沿った値を指し、一方、ｙという用語は、光軸に垂直な値を指し、楕円形状の軸を指すａとｂは、ここでも光学要素に関して放物線形状を調整する機会を提供する。
【００５８】
逆作動の集光装置は、完全にまたは部分的に光学的に透明な材料の中実体であり得るか、またはそれを含み得、または代替例として、具体的に気体及び／又は流体及び／又は固体の光学的に透明な材料で好ましくは完全に及び／又は均一に満たされ、所望の円錐形または非円錐形をとることができる少なくとも２つの個別の側壁を含む、中空体であり得るか、またはそれを含み得る。ここで、赤外線（ＩＲ）スペクトル範囲内、特に近赤外線（ＮＩＲ）および中赤外線（ＭｉｄＩＲ）スペクトル範囲内で高度の光学的透明性を示す可能性があり、集光装置の中実体に選択され得る少なくとも１つの材料は、好ましくは、フッ化カルシウム（ＣａＦ２）、溶融シリカ、ゲルマニウム、フッ化マグネシウム（ＭｇＦ）、臭化カリウム（ＫＢｒ）、サファイア、シリコン、ナトリウム塩化物（ＮａＣｌ）、セレン化亜鉛（ＺｎＳｅ）、硫化亜鉛（ＺｎＳ）、ホウケイ酸−クラウンガラス、透明導電性酸化物（ＴＣＯ）、および透明有機ポリマー、からなる群から選択でき、そこでは、高反射率のシリコンとゲルマニウムが、中実体の側壁で発生し得る全反射をサポートすることができるため、特に好ましい。代替として、所望の円錐形または非円錐形を示す丸みを帯びた少なくとも２つの側壁を有する中空体を充填するために選択され得るガス状の光学的に透明な材料は、周囲空気、窒素ガス、または二酸化炭素から選択され得、一方、この目的のための光学的に透明な流体は、液浸油またはカナダのバルサム、すなわちバルサムのモミの木の樹脂、特にアビスバルサメアから作られたテレビン油から選択され得る。さらなる代替として、真空が中空体に存在してもよい。
【００５９】
さらなる好ましい実施形態では、入射光を反射するように適合された少なくとも２つの個別の側壁を備え、該集光装置の側壁が集光装置の縦方向軸に対して対向する横方向位置に配置される逆作動の集光装置を適用することによって、分光計装置の効率は、さらに向上することができる。２つの対向する個別の側壁に加えて、集光装置は、ベースプレートとカバープレートをさらに備えることができ、それにより、準二次元的外観を呈し得る集光装置に、閉じた形状を提供し得る。その結果、集光装置の形状は、集光装置の側壁のいずれか一方とベースプレートまたはカバープレートのいずれか一方との間の交差線に少なくとも４つのコーナーラインを含むことができる。しかしながら、更なるコーナーラインが考えられ得る。この実施形態は、光ビームによって含まれる特定の波長を有する光ビームを受け取るように構成されていないかもしれない可変長フィルタ上の空間位置で、光ビームが可変長フィルタに到達する可能性があることを、あらゆる可能な状況下で回避するために、非反射性の吸収性表面を使用する既知の逆作動の集光装置と特に対照的である。これとは対照的に、このさらに好ましい実施形態の結果として、逆作動の集光装置は、いくつかの光ビームを反射させ、それでも可変長フィルタに導かれることを可能にし得る。
【００６０】
さらに好ましい実施形態では、丸みを帯びた側壁として設計された少なくとも２つの個別の側壁を含む逆作動の集光装置を適用することにより、分光計装置の効率はさらに向上することができ、丸みを帯びた側壁の少なくとも１つは、有利には、放物線プロファイルまたは楕円形プロファイルから選択されるプロファイルを含み得る。本明細書において、プロファイルとは、集光装置の横方向位置の側壁の断面の形状を指し、特に、それぞれ放物線形状または楕円形状であってもよく、またはそれらを含んでもよい。上述したように、逆作動の集光装置は、所望の円錐形または非円錐形の形状を有する中実体であってもよく、またはそれを含んでもよい。この場合、側壁のうちの少なくとも１つは、好ましくは、集光装置の表面から膨出するように構成され得るプロファイルを呈することができる。上記でさらに示した代替例では、逆作動の集光装置は、所望の円錐形または非円錐形を呈する少なくとも２つの側壁を有する中空体であってもよく、またはそれらを含むことができ、この代替例では、側壁の少なくとも１つは、好ましくは、中空体の表面に没入するように配置され得るプロファイルを呈することができる。このさらなる好ましい実施形態の結果として、逆作動の集光装置の側壁の特定の形状は、さらに、より多くの光ビームが、可変長フィルタ上の所望の空間位置で可変長フィルタに到達することができるように導かれることを確実にし、それによって、本明細書に記載される分光計装置の効率をさらに向上させることができる。
【００６１】
従って、特にＵＳ  ２０１４／１３１５７８  Ａ１とは対照的に、光学要素は、捕捉された光が分光計装置の共通の光軸に関して非対称である光路に沿って可変長フィルタに伝達されるように構成される。上記で既に定義したように、「光軸」という用語は、分光計装置、特に、逆作動の集光装置、可変長フィルタ、および検出器アレイの構成が、分光計システムに含まれる対称的な光学要素の回転に関して不変であり得る仮想線を指す。結果として、光学要素、可変長フィルタ、検出器アレイ、および任意選択的に分光計装置のさらなる光学要素の組み合わせは、したがって、特に対応するシェーンフリエ記法を使用することによって上記と同様の方法で表すことができる対称性の打破を示し得る。この目的のために、シェーンフリエ記法は、特に、対称群Ｃ４ｖを提供し、該対称群Ｃ４ｖは、回転軸を含む鏡面に対して３６０°／４＝９０°の角度の回転が保存される配置を指す。従って、この種の対称性の打破は、本発明による好ましい構成をもたらし得る。しかしながら、光学要素、可変長フィルタ、検出器アレイ、および任意選択的に分光計装置のさらなる光学要素のそれぞれの配置のさらなる対称性の打破の結果としての他の種類の非対称配置もまた、実現可能であり得る。逆作動の集光装置、および他の場所でより詳細に説明されるような可変長フィルタ構成の非対称配置の結果として、分光計装置の非対称応答が、検出器アレイの波長範囲に関して期待され得る。
【００６２】
光学要素が、分光計装置の光軸に対して非対称に配置され得るため、分光計装置の応答は、検出器アレイの一つの側で検出され得る短い波長と、検出器アレイの反対側で検出され得る長い波長とで等しくなることはもはや期待できない。しかしながら、この観察は、特に、白熱ランプが照射源として使用され得る場合には、分光計装置に特定の利点を示し得る。一般的に使用されるように、「白熱灯」という用語は、それが光、特に赤外光を発することができる温度に加熱され得る、加熱されるワイヤフィラメントなどの加熱可能要素を有する電灯を指す。白熱灯がしたがって赤外線スペクトル範囲内の熱エミッタと見なすことができるため、白熱灯の放射出力は、波長の増加に伴って減少する。さらに、典型的に、赤外線スペクトル範囲内で吸収に使用される既知の材料は、一般に、波長の増加に伴って吸収が増加する傾向を示す。さらに、すでに上で示したように、可変長フィルタ、特に線形可変フィルタのバンドパス幅は、通常、可変長フィルタのスペクトル範囲にわたって、１％などの一定値をとることができるため、バンドパス幅に反比例する可変長フィルタの分解能も、波長の増加とともに減少する。さらに、可変長フィルタの分解能は、一般に、可変長フィルタの中心波長に依存する。言及したすべての効果を組み合わせると、対称分光計装置では、分光計装置の応答は波長の増加に伴って減少する。
【００６３】
しかし、本発明のさらに好ましい実施形態によれば、分光計装置の光軸に関して非対称に配置される光学要素の使用は、光ビームが、光学要素の入口から光学要素を通って光学要素の出口まで進むことができる経路の長さを、調整することを可能にする。その結果、光学要素の配置の非対称性は、より短い波長を有する光ビームと比較して、より長い波長を有する光ビームに対してより短い経路を提供することを可能にし、および、追加的にまたは代替として、光ビームは、可変長フィルタに垂直入射に近いように衝突することを可能にし、それにより、効率がさらに向上し得る。結果として、さらに好ましい実施形態は、特に、より長い波長でより高い効率を可能にするように適合され得る分光計装置を提供することを容易にし得る。さらに、より短い波長における効率がしたがって、特により長い波長を有する光ビームと比較してより短い波長を有する光ビームがより長い経路を有するために、低下するように見え得るが、この効果は、この種の配置では、一般に、上に示した白熱灯のより高い放射出力と、より短い波長でのより低いバンドパス幅によって補われる。したがって、この種の配置は、特に赤外線スペクトル範囲において、既知の分光計装置と比較して、本発明による分光計装置の波長範囲にわたってより均等に分配され得る効率を、分光計装置に与えるために使用され得る。
【００６４】
したがって、本発明による非対称配置のこのさらに好ましい実施形態では、光学要素は、上記の可変長フィルタの受信面に垂直な平面に対して傾けることができる。一般に使用されるように、「傾斜」という用語は、可変長フィルタの受信面に垂直な方式で直角な平面に対する光学要素の対称軸の傾斜を指す。光学要素の傾斜配置の結果として、光学要素の入射軸と射出瞳軸は、互いにシフトして平行であるか、シフトされているが平行ではないか、またはシフトされておらず、互いに対して平行でもないか、のいずれかであり得る。より好ましくは、光学要素は、光ビームが可変長フィルタの受信面に垂直に、入射光の特定の波長を受光するように割り当てられている可変長フィルタ上の空間位置で、可変長フィルタに衝突するような方式で、可変長フィルタの受信面に垂直なこの平面に対して傾けられてもよい。別の方法として、光学要素は、さらなる光ビームがさらなる特定の波長を受光するために割り当てられた可変長フィルタ上のさらなる空間位置に衝突するように、さらなる方式でこの平面に対して傾けられてもよく、そこでは、さらなる特定の波長は入射光ビームの波長を超え、すなわち、さらなる特定の波長は可変長フィルタの表面に衝突するように向けられ得る入射光よりも長い波長を示す。
【００６５】
したがって、入射光ビームは、固有の波長と比較して長い波長で可変長フィルタを通過する可能性があるが、この文書の他の場所でより詳細に説明されているような隙間によって分離された可変長フィルタと検出器アレイの間の相対配置に起因して、入射光ビームは、依然として、入射光ビームの特定の波長での入射光の強度を決定するために提供された特定の光センサに衝突し得る。結果として、この目的のために指定された可変長フィルタの空間位置で可変長フィルタの受信面に対して垂直に可変長フィルタに衝突する光ビームだけでなく、入射光ビームの波長よりも長い波長を受光するように割り当てられたさらなる空間位置で可変長フィルタに衝突し、しかしなお入射光ビームの特定の波長を受光するように設計された特定の光センサに衝突する光ビームも、特定の個別のピクセルセンサの感光性領域によって生成される電気信号に寄与し得る。したがって、分光計装置の効率はこのようにしてさらに増加することができる。
【００６６】
加えて、本発明による分光計装置は、さらに、光学要素と可変長フィルタの間に特に配置することができる少なくとも１つの伝達装置を備えることができる。したがって、最も好ましくは、物体から出る光ビームは、最初に光学要素を通過し、続いて、伝達装置でまたは伝達装置を通過して、最後に検出器アレイに衝突まで可変長フィルタを通過して進行する。本明細書で使用する場合、「伝達装置」という用語は、したがって、光学要素から出てくる光ビームを検出器アレイに伝達するように構成され得る光学要素を指し得る。特定の実施形態では、伝達装置は、したがって、光ビームが可変長フィルタに案内される前に光ビームを成形するように設計され得る。
【００６７】
特に、伝達装置は、光学レンズ、曲面ミラー、格子、および回折光学要素からなる群から選択されてもよい。より具体的には、光学レンズは、特に、両凸レンズ、平凸レンズ、両凹レンズ、平凹レンズ、非球面レンズ、円柱レンズおよびメニスカスレンズからなる群から選択されてもよい。これにより、伝達装置は、少なくとも部分的に、好ましくは上記のような可変長フィルタの波長範囲全体にわたって透明であり得る材料を含み得る。この目的のために、この点で述べたのと同じまたは類似の光学的に透明な材料を使用することもできる。しかしながら、さらなる光学要素も実現可能であり得る。
【００６８】
本発明のさらなる態様では、分光計システムが開示されている。したがって、分光計システムは、
−  上記及び／又は以下でより詳細に説明される分光計装置；そして
−  分光計装置によって提供される検出器信号を評価することにより、物体のスペクトルに関連する情報を決定するように割り当てられた評価ユニット、
を含む。
【００６９】
ここでは、上記列挙した分光計システムの構成要素は、個別の構成要素であり得る。あるいは、分光計システムの２つ以上の構成要素を単一の一体型構成要素に統合することができる。さらに、評価ユニットは、分光計装置から独立した個別の評価ユニットとして形成されてもよいが、好ましくは、特に分光計装置によって生成された検出器信号を受信するために、検出器アレイに接続されてもよい。あるいは、少なくとも１つの評価ユニットは、少なくとも１つの分光計装置に完全にまたは部分的に統合されてもよい。
【００７０】
本発明によれば、分光計システムは、分光計装置および評価ユニットを備える。分光計装置に関しては、この文書の他の場所の説明を参照することができる。本明細書でさらに使用されるように、「評価ユニット」という用語は、一般に、所望の情報項目、すなわち、物体のスペクトルに関連する少なくとも１つの情報項目を生成するように設計された任意の装置を指す。一例として、評価ユニットは、１つ以上の特定用途向け集積回路（ＡＳＩＣ）などの１つ以上の集積回路、及び／又は１つ以上のコンピュータ、デジタル信号プロセッサ（ＤＳＰ）、フィールドプログラマブルゲートアレイ（ＦＰＧＡ）、好ましくは１つ以上のマイクロコンピュータなどの１つ以上のデータ処理装置、及び／又はマイクロコントローラ、であり得るか、またはそれらを含み得る。１つ以上の処理装置、及び／又は１つ以上のＡＤ変換器などの検出器信号を受信及び／又は前処理するデータ取得装置、及び／又は１つ以上のフィルタなどの追加の構成要素が含まれ得る。本明細書で使用される場合、検出器信号は、分光計装置によって、特に、分光計装置の検出器アレイによって提供される。さらに、評価ユニットは、１つ以上のデータ記憶装置を含み得る。さらに、評価ユニットは、１つ以上の無線インターフェース及び／又は１つ以上の有線インターフェースなどの１つ以上のインターフェースを備えることができる。
【００７１】
少なくとも１つの評価ユニットは、情報の項目を生成するステップを実行またはサポートする少なくとも１つのコンピュータプログラムなどの、少なくとも１つのコンピュータプログラムを実行するように適合され得る。一例として、センサ信号を入力変数として使用することによって、物体の位置への所定の変換を実行することができる１つ以上のアルゴリズムを実装することができる。この目的のために、評価ユニットは、特に、少なくとも１つのデータ処理装置、特に、検出器信号を評価することによって情報項目を生成するように設計された電子データ処理装置を備えることができる。したがって、評価ユニットは、検出器信号を入力変数として使用し、これらの入力変数を処理することによって物体のスペクトルに関する情報項目を生成するように設計される。処理は、並行に、逐次的に、または組み合わせでさえ行うことができる。評価ユニットは、計算によって、及び／又は少なくとも１つの保存された及び／又は既知の関係を使用することなどによって、これらの情報項目を生成する、任意のプロセスを使用することができる。検出器信号に加えて、１つ以上のさらなるパラメータ及び／又は情報項目、たとえば、分光計装置に含まれる光学要素、可変長フィルタ、および検出器アレイの相対配置に関する少なくとも１つの情報項目が、上記の関係に影響を与え得る。該関係は、経験的に、分析的に、または半経験的に決定されまたは決定され得る。特に好ましくは、該関係は、少なくとも１つの較正曲線、少なくとも１組の較正曲線、少なくとも１つの関数、または言及された可能性の組み合わせを含む。１つ以上の較正曲線は、例えば、値のセットおよびその関連する関数値の形で、例えば、データ記憶装置及び／又は表に記憶することができる。しかしながら、代替的または追加的に、少なくとも１つの較正曲線はまた、例えば、パラメータ化された形式で、及び／又は関数方程式として格納され得る。検出器信号を情報項目に処理するための別個の関係を使用することができる。あるいは、検出器信号を処理するための少なくとも１つの組み合わされた関係が実現可能である。さまざまな可能性が考えられ、組み合わせることもできる。
【００７２】
例として、評価ユニットは、情報の項目を決定する目的でプログラミングに関して設計され得る。評価ユニットは、特に、少なくとも１つのコンピュータ、例えば少なくとも１つのマイクロコンピュータを含むことができる。さらに、評価ユニットは、１つ以上の揮発性または不揮発性データメモリを備えることができる。データ処理装置、特に少なくとも１つのコンピュータの代替として、またはそれに加えて、評価ユニットは、情報項目を決定するために設計された１つ以上のさらなる電子構成要素、例えば電子テーブル、特に少なくとも１つのルックアップテーブル及び／又は少なくとも１つの特定用途向け集積回路（ＡＳＩＣ）を含み得る。
【００７３】
さらに、評価ユニットは、例えば、少なくとも１つの照射源を制御するように、及び／又は分光計の光学要素を制御するように、及び／又は検出器の少なくとも１つの変調装置を制御するように設計された評価ユニットにより、完全または部分的に分光計装置またはその一部を制御または駆動するように設計され得る。評価ユニットは、具体的に、複数の検出器信号、特に、検出器アレイの長さに沿って連続的に配置された個別のピクセル化センサの検出器信号、及び／又は照射の異なる変調周波数の検出器信号が収集される少なくとも１つの測定サイクルを実行するように設計され得る。ここでは、検出器信号の取得は、特に、行走査及び／又は線走査を使用することによって、順次実行され得る。しかしながら、他の実施形態、例えば、特に選択された個別のピクセルセンサが同時に記録される実施形態も可能である。
【００７４】
特定の実施形態では、検出器は、したがって、照射を変調するための、好ましくは周期的変調のための少なくとも１つの変調装置、特に周期的ビーム遮断装置を有することができる。一般的に使用されるように、照射の変調は、照射の総出力が、好ましくは周期的に、特に１つ以上の変調周波数で変化する処理を含む。特に、照射の総出力の最大値と最小値の間で周期的な変調を行うことができる。最小値は０とすることもできるが、例として完全な変調を行う必要がないなど、０より大きくすることもできる。変調は、例えば、物体と検出器アレイとの間のビーム経路において、例えば前記ビーム経路に配置された変調装置によって行うことができる。しかしながら、代替的または追加的に、変調は、物体を照射するための任意の照射源と物体との間のビーム経路において、例えば、前記ビーム経路に配置された変調装置によって行うこともできる。これらの可能性の組み合わせも考えられる。例として、変調装置は、ビームチョッパーまたは他のタイプの周期的ビーム遮断装置、例えば、好ましくは一定速度で回転し、したがって照射を周期的に遮断できる少なくとも１つの遮断ブレードまたは遮断ホイールを含むことができる。しかしながら、代替的または追加的に、１つ以上の異なるタイプの変調装置、例えば電気光学効果及び／又は音響光学効果に基づく変調装置を使用することもできる。また代替的または追加的に、任意の照射源自体も、例えば、変調強度及び／又は変調総出力、例えば周期的に変調された総出力を有する照射源自体によって、及び／又はパルス照射源、例えばパルスレーザーとして具体化される照射源自体によって、変調照射を生成するように設計され得る。したがって、例として、変調装置は、全体的または部分的に照射源に統合することもできる。さまざまな可能性が考えられる。したがって、検出器アレイは、異なる変調周波数を有する異なる変調の場合に、少なくとも２つの検出器信号を検出するように設計され得る。評価装置は、２つ以上の検出器信号からのスペクトルに関連する情報を生成するように設計され得る。例として、検出器は、０．０５Ｈｚ〜１ＭＨｚ、例えば０．１Ｈｚ〜１０ｋＨｚなどの周波数で物体の照射の変調をもたらすように設計され得る。
【００７５】
本発明のさらなる態様では、本発明による分光計装置および分光計システムの使用が開示されている。そこでは、物体のスペクトルに関する情報を決定する目的の分光計装置および分光計システムの使用が提案されている。ここで、分光計装置および分光計システムは、好ましくは、以下の：赤外線検出用途；熱検出用途；温度計用途；熱探索用途；火炎検出用途；火災検知用途。煙検知用途；温度感知用途；及び、分光用途からなる群から選択される使用目的のために使用され得る。さらに、本発明による分光計装置および分光計システムは、好ましくは、排気ガスの監視、燃焼プロセスの監視、汚染の監視、工業プロセスの監視、化学プロセスの監視、食品処理プロセスの監視、水質の評価、及び／又は大気質の評価、に使用することができる。さらに、本発明による分光計装置および分光計システムは、品質管理、温度制御、運動制御、排気制御、ガス感知、ガス分析、運動感知、及び／又は化学感知に使用することができる。さらなる適用が可能である。
【００７６】
上述の分光計装置、分光計システムおよび提案された使用は、従来技術に対して相当の利点を有する。したがって、一般に、物体のスペクトルに関連する情報を正確に決定するための、単純で、なおかつ効率的な分光計装置および分光計システムが提供され得る。そこでは、一例として、赤外線スペクトル範囲の一つの区分をカバーする物体の赤外線スペクトルを、高速かつ効率的な方法で取得することができる。当技術分野で知られている装置と比較して、ここで提案される分光計装置および分光計システムは、特に分光計装置の光学構造に関して、高度の単純さを提供する。ここで、分光計装置に含まれる光学要素、可変長フィルタ及び検出器アレイ子の非対称形状および／または配置は、現在利用できるより高い集光効率で物体からの入射光を捕捉し、入射光を可変長フィルタに伝達するのに有利であり得る。この高度なシンプルさは、高解像度測定の可能性と組み合わせて、赤外線（ＩＲ）スペクトル領域、特に近赤外線（ＮＩＲ）および中赤外線（ＭｉｄＩＲ）のスペクトル範囲での感知、検出、及び／又は監視用途、特に、熱、炎、火災、または煙の感知または検出、ならびに排気ガス、燃焼プロセス、汚染、工業プロセス、化学プロセス、食品加工プロセス、水質、または大気質の監視、に特に適している。さらなる適用が可能である。
【００７７】
要約すると、本発明の文脈において、以下の実施形態は特に好ましいと見なされる。
【００７８】
実施形態１：分光計装置であって：
−  物体からの入射光を受け取り、該入射光を可変長フィルタに伝達するように設計された光学要素であって、該光学要素は、入射光が分光計装置の光軸に対して非対称である光路に沿って可変長フィルタに伝達されるように配置されている、光学要素；
−  入射光を構成波長信号のスペクトルに分離するように割り当てられた可変長フィルタ；そして
−  複数のピクセル化センサを有する検出器アレイであって、各ピクセル化センサは構成波長信号の１つの少なくとも一部を受信するように適合され、各構成波長信号は各構成波長の強度に関連する、検出器アレイ、
を有する、分光計装置。
【００７９】
実施形態２：光学要素が、逆方向に作動する集光装置、伝達要素、またはバッフルフィルタのうちの少なくとも１つから選択され、前記光学要素は、分光計装置の光軸に対して非対称な形状を呈するか、又は非対称に配置されているか、の先行する実施形態による分光計装置。
【００８０】
実施形態３：集光装置が、入射光を広げ、同時に光ビームの角拡散を低減するために逆方向に作動される、先行する実施形態による分光計装置。
【００８１】
実施形態４：集光装置が、円錐形状または非円錐形状を含む、先行する２つの実施形態のいずれか１つによる分光計装置。
【００８２】
実施形態５：集光装置の非円錐形状が、放物線形状または楕円形状から選択される形状を含む、先行する実施形態による分光計装置。
【００８３】
実施形態６：集光装置が、複合放物線集光器および複合楕円集光器を含む群から選択される、先行する実施形態による分光計装置。
【００８４】
実施形態７：集光装置は、分光計装置の光軸に対して非対称の設計を有している、先行する５つの実施形態のいずれか１つによる分光計装置。
【００８５】
実施形態８：逆方向に作動される集光装置が、入射瞳および射出瞳を含み、入射瞳によって定義される入射面と射出瞳によって定義される射出面は平行でない、先行する実施形態による分光計装置。
【００８６】
実施形態９：集光装置が反転対称性および２回回転軸のみを含む、先行する２つの実施形態のいずれか１つによる分光計装置。
【００８７】
実施形態１０：集光装置が回転対称性を示さない、先行する２つの実施形態のいずれか１つによる分光計装置。
【００８８】
実施形態１１：集光装置が単一の鏡面のみを含むか、または鏡面を含まない、先行する３つの実施形態のいずれか１つによる分光計装置。
【００８９】
実施形態１２：集光装置が、分光計装置の光軸に対して非対称に配置されている、先行する１０の実施形態のいずれか１つによる分光計装置。
【００９０】
実施形態１３：集光装置の非円錐形状は、可変長フィルタに対して非対称に配置される、先行する実施形態による分光計装置。
【００９１】
実施形態１４：逆方向に作動する集光装置および可変長フィルタのそれぞれの配置が、単一の鏡面のみを含むか、または鏡面を含まない、先行する実施形態による分光計装置。
【００９２】
実施形態１５：逆方向に作動する集光装置および可変長フィルタのそれぞれの配置が回転対称性を示さない、先行する２つの実施形態のいずれか１つによる分光計装置。
【００９３】
実施形態１６：集光装置は、可変長フィルタの受信面に垂直な平面に対して傾斜している、先行する３つの実施形態のいずれか１つによる分光計装置。
【００９４】
実施形態１７：集光装置が、可変長フィルタに伝達された入射光が入射光の一つの波長を受けるように設計された可変長フィルタの空間位置で可変長フィルタに垂直に衝突するように、及び／又は、入射光の波長を超えるさらなる波長を受けるように設計された可変長フィルタのさらなる空間位置に衝突するように、可変長フィルタの受光表面に垂直な面に対して傾斜されている、先行する実施形態による分光計装置。
【００９５】
実施形態１８：集光装置は、光学的に透明な材料の中実体であるか、またはそれを含む、先行する１６個の実施形態のいずれか１つによる分光計装置。
【００９６】
実施形態１９：光学的に透明な材料が、フッ化カルシウム（ＣａＦ２）、溶融シリカ、ゲルマニウム、フッ化マグネシウム（ＭｇＦ）、臭化カリウム（ＫＢｒ）、サファイア、シリコン、塩化ナトリウム（ＮａＣｌ）、セレン化亜鉛（ＺｎＳｅ）、硫化亜鉛（ＺｎＳ）、ホウケイ酸クラウンガラス、透明導電性酸化物（ＴＣＯ）、及び、透明有機ポリマー、からなる群から選択される、先行する実施形態による分光計装置。
【００９７】
実施形態２０：集光装置が中空体であるか、または中空体を含む、先行する１８個の実施形態のいずれか１つによる分光計装置。
【００９８】
実施形態２１：中空体に真空が存在する、先行する実施形態のいずれか１つによる分光計装置。
【００９９】
実施形態２２：中空体が、気体及び／又は流体の光学的に透明な材料で満たされている、先行する実施形態による分光計装置。
【０１００】
実施形態２３：中空の本体が、ガス及び／又は流体の光学的に透明な材料で完全に及び／又は均一に満たされている、先行する実施形態による分光計装置。
【０１０１】
実施形態２４：ガスの光学的に透明な材料が、周囲空気、窒素ガスまたは二酸化炭素から選択される、先行する２つの実施形態のいずれか１つによる分光計装置。
【０１０２】
実施形態２５：流体の光学的に透明な材料が、液浸油またはカナダバルサムから選択される、先行する３つの実施形態のいずれか１つによる分光計装置。
【０１０３】
実施形態２６：集光装置は、少なくとも２つの個別の側壁を有する、先行する２４個の実施形態のいずれか１つによる分光計装置。
【０１０４】
実施形態２７：側壁は、入射光を反射するように適合されている、先行する実施形態による分光計装置。
【０１０５】
実施形態２８：集光装置は、集光装置に閉じた形状を提供するように適合されたベースプレートとカバープレートとをさらに備えている、先行する２つの実施形態のいずれか１つによる分光計装置。
【０１０６】
実施形態２９：前記閉じた形状は、集光装置の側壁のいずれか一方とベースプレートまたはカバープレートのいずれか一方との間の交差線における少なくとも４つのコーナーラインを含む、先行する実施形態による分光計装置。
【０１０７】
実施形態３０：集光装置の側壁の少なくとも１つは、丸みを帯びた側壁として設計されている、先行する４つの実施形態のいずれか１つによる分光計装置。
【０１０８】
実施形態３１：集光装置の丸みを帯びた側壁の少なくとも１つは放物線プロファイルまたは楕円形プロファイルから選択されるプロファイルを有している、先行する実施形態よる分光計装置。
【０１０９】
実施形態３２：側壁の少なくとも１つは、光学的に透明な材料の中実体であるかまたはそれを含む集光装置の表面から膨出するプロファイルを呈し、又は、側壁の少なくとも１つは、集光装置の中空体の表面に没入するプロファイルを呈する、先行する２つの実施形態のいずれか１つによる分光計装置。
【０１１０】
実施形態３３：伝達要素は、単一レンズまたは少なくとも２つの単一レンズを有する複合レンズを含み、伝達要素は非対称特性を示す、先行する２９個の実施形態のいずれか１つによる分光計装置。
【０１１１】
実施形態３４：伝達要素の非対称特性は、非対称レンズ形状、非対称複合レンズ、または分光計装置の光軸に対する単一レンズまたは複合レンズの非対称配置の少なくとも１つから選択される、先行する実施形態よる分光計装置。
【０１１２】
実施形態３５：単一レンズは対称形状を有する屈折レンズであり、屈折レンズは、分光計装置の光軸に対して角度αだけ傾けられている、先行する２９個の実施形態のいずれか１つによる分光計装置。
【０１１３】
実施形態３６：バッフルフィルタの非対称特性は、バッフルフィルタの非対称形状または分光器システムの光軸に関するバッフルフィルタの非対称配置の少なくとも１つから選択される、先行する３２個の実施形態のいずれか１つによる分光計装置。
【０１１４】
実施形態３７：バッフルフィルタの非対称配置は、分光計システムの光軸に対するバッフルフィルタの傾斜配置を含む、先行する実施形態よる分光計装置。
【０１１５】
実施形態３８：バッフルフィルタの非対称配置は、バッフル平面の表面上に選択的にコーティングされた区分を備えたバッフルフィルタを含み、バッフルフィルタは、互いに平行に配置された幾つかのバッフル平面によって構成される、先行する２つの実施形態のいずれか１つによる分光計装置。
【０１１６】
実施形態３９：検出器アレイが透明な隙間を介して可変長フィルタから分離されている、先行する実施形態のいずれか１つによる分光計装置。
【０１１７】
実施形態４０：透明な隙間が、２つの対向する側を有する拡張透明体によって得られ、可変長フィルタを構成する複数の干渉フィルタが第１の側に配置され、検出器アレイを構成するピクセル化センサが第１の側と反対の第２の側に配置されている、先行する実施形態よる分光計装置。
【０１１８】
実施形態４１：ピクセル化センサが、ピクセル化された有機カメラ要素、好ましくはピクセル化された有機カメラチップ；光伝導体アレイ、特に無機光伝導体アレイ、特にＰｂＳ、ＰｂＳｅ、Ｇｅ、ＩｎＧａＡｓ、ｅｘｔ．ＩｎＧａＡｓ、ＩｎＳｂ、またはＨｇＣｄＴｅ光伝導体アレイ；焦電、ボロメータ、またはサーモパイルアレイ；ピクセル化無機カメラ要素、好ましくはピクセル化無機カメラチップ、より好ましくはＣＣＤチップまたはＣＭＯＳチップ；モノクロカメラ要素、好ましくはモノクロカメラチップ；ＦｉＰセンサ、のうちの少なくとも１つから選択される、先行する実施形態のいずれか１つによる分光計装置。
【０１１９】
実施形態４２：入射光が７６０ｎｍ〜１０００μｍ（赤外線スペクトル範囲）の電磁放射を含む、先行する実施形態のいずれか１つによる分光計装置。
【０１２０】
実施形態４３：入射光が１μｍ〜５μｍの電磁放射を含む、先行する実施形態よる分光計装置。
【０１２１】
実施形態４４：入射光が１μｍ〜３μｍの電磁放射を含む、先行する実施形態よる分光計装置。
【０１２２】
実施形態４５：物体を照射するように適合された照射源をさらに備える、、先行する実施形態のいずれか１つによる分光計装置。
【０１２３】
実施形態４６：照射源は、分光計装置に統合または取り付けられる、先行する実施形態よる分光計装置。
【０１２４】
実施形態４７：照射源が、少なくとも部分的に物体に接続され、及び／又は、少なくとも部分的に物体と同一である照射源；一次放射によって物体を少なくとも部分的に照射するように設計された照射源、から選択される、先行する２つの実施形態のいずれか１つによる分光計装置。
【０１２５】
実施形態４８：光ビームは、物体上の一次放射の反射によって生成され、及び／又は、一次放射によって刺激された物体自体による発光によって生成される、先行する実施形態よる分光計装置。
【０１２６】
実施形態４９：検出器アレイのスペクトル感度は、照射源のスペクトル範囲によってカバーされている、先行する実施形態よる分光計装置。
【０１２７】
実施形態５０：照射源が、白熱灯；炎源；熱源；レーザ、特にレーザダイオード；発光ダイオード；有機光源、特に有機発光ダイオード；ネオンライト；構造化された光源、の少なくとも１つから選択される、先行する４つの実施形態のいずれか１つによる分光計装置。
【０１２８】
実施形態５１：伝達装置をさらに含む、先行する実施形態のいずれか１つによる分光計装置。
【０１２９】
実施形態５２：伝達装置が収束光学要素を構成しまたは有し、収束要素は、入射光の波長範囲の少なくとも１つの区分に関して少なくとも部分的に光学的に透明である、先行する実施形態よる分光計装置。
【０１３０】
実施形態５３：収束光学要素が、収束光学レンズ、収束回折光学要素および収束曲面鏡、からなる群から選択される、先行する実施形態よる分光計装置。
【０１３１】
実施形態５４：伝達装置が集光装置と可変長フィルタとの間に配置される、先行する３つの実施形態のいずれか１つによる分光計装置。
【０１３２】
実施形態５５：分光計システムであって、
−  先行する実施形態のいずれか１つによる分光計装置；および、
−  分光計装置によって提供される検出器信号を評価することにより、物体のスペクトルに関する情報を決定するように割り当てられた評価ユニット、
を有する、分光計システム。
【０１３３】
実施形態５６：評価装置が、検出器アレイ内のピクセル化センサの位置と、入射光の波長と、ピクセル化センサの信号の間の少なくとも１つの所定の関係から物体のスペクトルに関する情報を生成するように設計されている、先行する実施形態よる分光計システム。
【０１３４】
実施形態５７：検出器信号が、少なくとも１つの電流電圧測定及び／又は少なくとも１つの電圧電流測定を実行することによって生成される、先行する実施形態よる分光計システム。
【０１３５】
実施形態５８：物体を照射するように適合された照射源をさらに備える、分光計システムに関する先行する実施形態のいずれか１つによる分光計システム。
【０１３６】
実施形態５９：照射源が、炎源；熱源；レーザ、特にレーザダイオード；発光ダイオード；有機光源、特に有機発光ダイオード；ネオンライト；構造化された光源、の少なくとも１つから選択される、先行する実施形態による分光計システム。
【０１３７】
実施形態６０：赤外線検出用途；熱検出用途；温度計用途；熱探索用途；火炎検出用途；火災検出用途；煙検出用途；温度感知用途；分光用途；排気ガス監視用途；燃焼プロセス監視用途；汚染監視用途；工業プロセス監視用途；化学プロセス監視用途；食品加工プロセス監視用途；水質監視用途；大気質監視用途；品質管理用途；温度制御用途；運動制御用途；排気制御用途；ガス感知用途；ガス分析用途；運動感知用途；化学感知用途、における先行する実施形態のいずれか１つによる分光計装置または分光計システムの使用。
【図面の簡単な説明】
【０１３８】
本発明のさらなる任意の詳細および特徴は、従属請求項に関連して、後続の好ましい例示的な実施形態の説明により明らかである。この文脈において、特定の機能は、単独で、または機能を組み合わせて実現されてよい。本発明の範囲は、例示的な実施形態に制限されない。例示的な実施形態は、図に概略的に示されている。個々の図中の同一の参照番号は、同一の要素またはそれらの機能に関して互いに対応する要素を指す。
【０１３９】
具体的には、図では：
【図１】それぞれ本発明による分光計装置を含む分光計システムの例示的な実施形態（図１Ａ）及び集光装置の非対称配置の利点（図１Ｂ）の概略図を示す。
【図２】集光装置の好ましい非円錐形状の２つの例示的な実施形態の上面図を示す。
【図３】集光装置の側壁の好ましいプロファイルの例示的な実施形態の側面図を示す。
【図４】非対称レンズ配置を使用する分光計装置のさらなる例示的な実施形態の上面図を示す、および、
【図５】非対称バッフル配置を使用する分光計装置のさらなる例示的な実施形態の上面図を示す。
【発明を実施するための形態】
【０１４０】
図１Ａは、本発明による分光計装置１１２を備える分光計システム１１０の例示的な実施形態を非常に概略的な方法で示している。一般的に使用されるように、分光計装置１１２は、スペクトルまたはその区分として表される波長範囲にわたって、入射光１１４の対応する波長または波長間隔に関して、入射光１１４の信号強度を記録することができる装置である。本発明によれば、分光計装置１１２は、特に、赤外線（ＩＲ）スペクトル領域、好ましくは近赤外線（ＮＩＲ）および中赤外線（ＭｉｄＩＲ）スペクトル範囲のスペクトルを記録するように適合されることができ、特に、入射光は波長１μｍ〜５μｍ、好ましくは１μｍ〜３μｍの波長を有することができ、したがって、熱、炎、火災、または煙の検出に適用されることができ、さらなる用途も実現可能である。ここで、入射光１１４は、生き物または一つ以上の物品及び／又は一つ以上の物品の部分を含む非生物であり得る物体１１６によって生成および／または反射され得、該一つ以上の物品及び／又は該一つ以上の物品の部分はＩＲ、特にＮＩＲスペクトル領域での調査に適切であり得るスペクトルを提供することができる。
【０１４１】
図１Ａに概略的に示される例示的な分光計装置１１２は、可変長フィルタの好ましい例として線形可変フィルタ１１８を含む。ここで、線形可変フィルタ１１８は入射光１１４を構成波長信号のスペクトルに分離するように割り当てられ、検出器アレイ１２０は受信波長信号のそれぞれの強度を決定するように設計され、および光学要素１２２は、物体１１６からの入射光１１４を受け、線形可変フィルタ１１８に伝達するように割り当てられている。
【０１４２】
本発明によれば、光学要素１２２は、入射光１１４が、分光計装置１１２の光軸１２３に関して非対称な光路に沿って線形可変フィルタ１１８に伝達されるように配置される。図１Ａの好ましい例示的な実施形態では、光学要素１２２は集光装置１２４を有し、該集光装置は逆方向１２６で作動し、該逆作動の集光装置１２４は円錐形状１２８を有している。ここで、逆作動の集光装置１２４は、入力１３０、光ガイド構造１３２、および出力１３４を備える。その結果、物体１１６によって放射または反射されるか、または物体１１６を通過し得る入射光１１４は、入射光１１４を受信するように設計された入力１３０で逆作動の集光装置１２４に入る。その後、入力１３０によって捕捉された入射光１１４は、好ましくは、入射光１１４を広げるように設計された光ガイド構造１３２を通過する。最後に、このようにして広げられた入射光１１４は、この目的のために割り当てられた出力１３４によって放出される。
【０１４３】
その結果、逆動作の集光装置１２４の出力１３４によって提供される光ビームの主な割合は、線形可変フィルタ１１８に平行に衝突し、特に、線形可変フィルタ１１８の受信面１３６に垂直に衝突する。この例示的な実施形態で使用されるように、線形可変フィルタ１１８は、好ましくは干渉フィルタの連続配置で提供される複数の干渉フィルタを有する光学フィルタであるか、またはそれを含む。ここで、干渉フィルタのそれぞれは、可変中心波長が空間位置１３８の線形関数であり得る方式で、線形可変フィルタ１１８の受信面１３６上の各空間位置１３８で、可変中心波長を有するバンドパスを形成し得る。図１に例示的に示すように、線形可変フィルタ１１８は、したがって、一次元に沿って、通常は線形可変フィルタ１１８の「長さ」に沿って、好ましくは連続的に、配置され得る。例として、線形可変フィルタ１１８は、透明基板１４２上に少なくとも１つの応答コーティング１４０を担持するウェッジフィルタとすることができ、該応答コーティング１４０は、空間可変特性、特に空間可変厚さ（ここでは図示せず）を示すことができる。ここで、透明基板１４２は、ＩＲスペクトル範囲で高度の光学的透明性を示すことができる少なくとも１つの材料を含むことができ、該材料は、好ましくはフッ化カルシウム（ＣａＦ２）、溶融シリカ、ゲルマニウム、フッ化マグネシウム（ＭｇＦ）、臭化カリウム（ＫＢｒ）、サファイア、シリコン、塩化ナトリウム（ＮａＣｌ）、セレン化亜鉛（ＺｎＳｅ）、硫化亜鉛（ＺｎＳ）、ホウケイ酸−クラウンガラス、透明導電性酸化物（ＴＣＯ）、および透明有機ポリマーからなる群から選択することができ、ここで、ＣａＦ２、溶融シリカ、ＭｇＦ、ＫＢｒ、サファイア、ＮａＣｌ、ＺｎＳｅ、ＺｎＳ、ホウケイ酸塩−クラウンガラス、透明導電性酸化物、および選択された透明有機ポリマーは、特に、ＮＩＲスペクトル範囲に適用することができる。しかしながら、線形可変フィルタ１１８の他の実施形態も実現可能であり得る。しかしながら、他の種類の可変長フィルタもまた、本発明の目的のために実現可能であり得る。
【０１４４】
線形可変フィルタ１１８は、入射光１１４を構成波長信号のスペクトルに分離するように割り当てられている。この目的のために、入射光１１４は、好ましくは、入射光１１４の波長に関連する特定の空間位置１３８で線形可変フィルタ１１８を通過することができる。入射光１１４は、入射光１１４の波長に関連する特定の空間位置１３８で線形可変フィルタ１１８を通過した後、続いて、検出器アレイ１２０、具体的には検出器アレイ１２０に含まれるに複数のピクセル化センサ１４４のうちの１つに衝突する。したがって、ピクセル化センサ１４４のそれぞれは、上述のように線形可変フィルタ１１８を通過した後に、入射光１１４によって提供される構成波長信号の１つの少なくとも一部を受け取る。さらに、各ピクセル化センサ１４４は、各構成波長の強度に関連する検出器信号を提供するように適合されている。言い換えると、分光計装置１１２は、したがって、構成波長信号に基づいて複数の検出器信号を生成するように割り当てられ、各検出器信号は、スペクトルの各構成波長の強度に関連している。
【０１４５】
図１Ａにさらに示されるように、検出器アレイ１２０は、好ましくは、透明な隙間１４６によって線形可変フィルタ１１８から分離されることができ、透明な隙間１４６は、例として、透明基板１４２を使用することによって得られる。その結果、透明な隙間１４６に適切な幅を選択することにより、線形可変フィルタ１１８に関する検出器アレイ１２０のより正確な調整が、実現され得る。以下により詳細に示されるように、透明な隙間１４６を調整することは、分光計装置１１２の効率をさらに増加させることを可能にし得る。
【０１４６】
複数の検出器信号は、図１Ａに概略的に示されるように、信号リード線１４８を介して、分光計装置１１２に加えて分光計システム１１０に含まれ得る評価ユニット１５０に、送信され得る。ここで、評価ユニット１５０は、一般に、分光計装置１１２の検出器アレイ１２０によって提供される複数の検出器信号を評価することによって、物体１１６のスペクトルに関する情報を決定するように割り当てられる。この目的のために、評価ユニット１５０は、信号評価ユニット１５２によって象徴的に示されている、１つ以上の電子装置及び／又は１つ以上のソフトウェアコンポーネントを、複数の検出器信号を評価するために含み得る。ここで、評価ユニット１５０は、２つ以上の検出器信号を比較することにより、物体１１６のスペクトルに関する少なくとも１つの情報項目を決定するように適合され得る。
【０１４７】
分光計装置１１２の光学要素１２２によって受け取られる入射光１１４は、発光する物体１１６によって生成され得る。代替的または追加的に、入射光１１４は、周囲光源及び／又は人工光源、特に白熱灯１５６を含み得る別個の照射源１５４によって生成されることができ、該光源は、入射光１１４が光学要素１２２によって受けられるように構成されるように、照射源１５４によって生成された光の少なくとも一部が物体１１６を通過する方式で（ここでは図示せず）、及び／又は、物体１１６が照射源１５４によって生成された光の少なくとも一部を反射し得る方式で、物体１１６を照射するように割り当てられ得る。ここで、照明源１５４は、連続的に発光する光源及び／又は変調された光源であるか、またはそれらを含み得る。図１Ａにさらに示されるように、照射源１５４は、必要に応じて変調された光を提供するように適合され得る、少なくとも１つの照射制御ユニット１５８によって制御され得る。ここで、照射制御ユニット１５８は、さらに、信号評価ユニット１５２に照射に関する情報を提供することができ、及び／又は、信号評価ユニット１５２によって制御されることができ、これは、図１Ａの照射制御ユニット１５８と信号評価ユニット１５２との間の接続によって象徴的に示される。代替的または追加的に、物体１１６の照射の制御は、照射源１５４と物体１１６との間、及び／又は物体１１６と光学要素１２２との間のビーム経路で行われてもよい。さらなる可能性が考えられる。
【０１４８】
一般に、評価ユニット１５０は、データ処理装置１６０の一部であってもよく、及び／又は１つ以上のデータ処理装置１６０を備えていてもよい。評価ユニット１５０は、少なくとも分光計装置１１２を有するハウジング１６２に完全にまたは部分的に統合されてもよく、及び／又は、無線または有線で分光計装置１１２に電気的に接続され得る別個の装置として完全または部分的に具体化されてもよい。さらに、光学要素１２２、線形可変フィルタ１１８、および検出器アレイ１２０は、好ましくは、少なくとも分光計装置１１２を備えるハウジング１６２の内側に配置され得る。評価ユニット１５０は、１つ以上の測定ユニット及び／又は１つ以上の評価ユニット及び／又は１つ以上の制御ユニット（ここでは図示せず）などの、１つ以上の電子ハードウェアコンポーネント及び／又は１つ以上のソフトウェアコンポーネントなどの、１つ以上の追加コンポーネントをさらに含むことができる。
【０１４９】
図１Ａの例示的な実施形態にさらに示されるように、分光計装置１１２は、光学要素１２２、線形可変フィルタ１１８、および検出器アレイ１２０を含み、入射光１１４が光軸１２３に対して非対称である光路に沿って線形可変フィルタ１１８に伝達されるように、線形可変フィルタ１１８および検出器アレイ１２０は、分光計装置１１２の光軸１２３に沿って配置され、一方、光学要素１２２は、光軸１２３に対して非対称に配置されている。具体的には、光軸１２３は、線形可変フィルタ１１８および検出器アレイ１２０のうちの少なくとも１つの構成の対称軸及び／又は回転軸であってもよい。特に、光軸１２３は、したがって、線形可変フィルタ１１８の受信面１３６に垂直な平面に平行であってもよい。したがって、光学要素１２２の対称軸１６４は、線形可変フィルタ１１８の受信面１３６に垂直な平面に好ましくは平行な分光計装置１１２の光軸１２３に対して、角度αだけ傾斜してよい。
【０１５０】
ここで、逆作動の集光装置１２４は、集光装置１２４の反射率を高めるために、ＩＲスペクトル範囲で高い光透過率を有する透明な光学材料の中実体（ここでは図示せず）の形態で提供され得る。特に、逆作動の集光装置１２４は、好ましくは、ＩＲスペクトル範囲において高度の光学的透明度を有する少なくとも部分的に光学的に透明な材料の中実体で提供されることができ、該光学的に透明な材料は、フッ化カルシウム（ＣａＦ２）、溶融シリカ、ゲルマニウム、フッ化マグネシウム（ＭｇＦ）、臭化カリウム（ＫＢｒ）、サファイア、シリコン、塩化ナトリウム（ＮａＣｌ）、セレン化亜鉛（ＺｎＳｅ）、硫化亜鉛（ＺｎＳ）、ホウケイ酸塩クラウンガラス、透明導電性酸化物（ＴＣＯ）、および透明有機ポリマーからなる群から選択することができ、そこでは、ＣａＦ２、溶融シリカ、ＭｇＦ、ＫＢｒ、サファイア、ＮａＣｌ、ＺｎＳｅ、ＺｎＳ、ホウケイ酸−クラウンガラス、透明導電性酸化物、および選択した透明有機ポリマーは、特に、ＮＩＲスペクトル範囲に適用可能であり、高屈折率を有するシリコンおよびゲルマニウムは、中実体の側壁で発生し得る全反射をサポートすることができるため、特に好ましい。
【０１５１】
しかし、図１Ａにさらに示すように、逆作動の集光装置１２４は、代替として、所望の円錐形状１２８を構成する、集光装置１２４の縦方向軸に対して横方向に配置され得る、２つの対向する個別の側壁１６６を有する中空体１６５の形態で提供されてもよい。横方向位置に配置される２つの対向する個別の側壁１６６に加えて、集光装置１２４は、集光装置１２４に閉じた形状を提供するために、ベースプレートおよびカバープレート（ここでは図示せず）をさらに含んでもよい。その結果、集光装置１２４の形状は、側壁１６６のいずれか１つと集光装置１２４のベースプレートまたはカバープレートのいずれか１つとの間の交差線における少なくとも４つのコーナーラインを含む。この目的のために、ベースプレート、カバープレート及び所望の円錐形状１２８を示す２つの個別の側壁１６６を有する中空体１６５は、逆方向１２６で動作する逆作動の集光装置１２４として適用できるように、真空を含むか、または好ましくは完全にまたは均一に、特に周囲空気、窒素ガス、二酸化炭素、浸油、またはカナダバルサムから選択される気体及び／又は流体の光学的に透明な材料によって充填されていてもよい。
【０１５２】
さらなる実施形態では、少なくとも１つの伝達装置（ここでは図示せず）、特に屈折レンズが、追加的に、光学要素１２２と線形可変フィルタ１１８との間に配置されてもよい。しかしながら、光学要素１２２が、図１、図２Ａおよび図２Ｂの特定の実施形態において、逆作動の集光装置１２４の形態で実装されるため、光学要素１２２のこの実装が、同時に、伝達装置、特に屈折レンズの機能を引き継ぐことができるため、特に、線形可変フィルタ１１８の受信面１３６に対して垂直に線形可変フィルタ１１８に衝突する可能性のある平行光ビームの支配的なシェアを提供することに関して、特に屈折レンズの使用は必要ないように見える。
【０１５３】
様々な実施形態では、逆作動の集光装置１２４を構成する中空体１６５の側壁１６６の少なくとも１つは、主に平行に線形可変フィルタ１１８に最終的に衝突するように入射光を導くことができる経路から高度に逸脱する可能性がある入射光１１４のそのような波長を吸収するように適合された側壁（ここでは図示せず）として設計され得る。しかし、中空体１６５のこのような種類の側壁は、入射光１１４の吸収シェアが線形可変フィルタ１１８を通過し最終的に検出器アレイ１２０に到達することを妨げられ、しだかって検出器信号に寄与しなくなり得るため、分光計装置１１２の効率を低下させる可能性がある。
【０１５４】
したがって、図１Ａに示されるような特に好ましい実施形態では、逆作動の集光装置１２４を構成する中空本体１６５の側壁１６６の少なくとも１つは、入射光１１４を反射するように適合され得る反射性側壁１６８として割り当てられ得る。結果として、反射性側壁１６８は、このように、図１Ｂに概略的に示される追加の光ビーム１７０が、反射性側壁１６８での反射によって、線形可変フィルタ１１８、続いて、そこでそれらがさらに検出器信号に寄与し得る検出器アレイ１２０に案内されることを可能にすることによって、分光計装置１１２の効率を増加させることができる。その結果、逆作動の集光装置１２４を実装する中空体１６５を画定し得る反射性側壁１６８を設けることにより、このように、特に信号対雑音比を低減することによって、分光計装置１１２の効率をさらに高めることができる。
【０１５５】
図１Ｂに概略的に示されるように、図１Ａに示された分光計装置１１２内の光学要素１２２の非対称配置は、さらなる利点を提供し得る。ここに示されるように、３つの異なる波長を有する３つの異なる光ビーム１７０、１７０’、１７０”のそれぞれは、検出器アレイ１２０の対応するピクセル化センサ１４４において、定義された許容レベル内で波長に関係なく同じ強度を有する検出器信号１７２、１７２’、１７２”を生成し得る。この利点は、白熱灯１５６を、ＩＲスペクトル範囲内の熱エミッタと見なすことができ、したがって、波長の増加とともに減少する放射出力を示す照射源１５４として使用するときにさえ達成することができる。しかしながら、この効果は、光学要素１２２の非対称配置２００が勝ることができ、そこでは、より長い波長を有する光ビーム１７０”と比較して、より短い波長を有する光ビーム１７０のより長い経路が提供され得る。
【０１５６】
さらに、ピクセル化センサ１４４における光ビーム１７０、１７０’、１７０”の強度に影響を及ぼし得るさらなる効果は、このように勝られ得る。特に、既知のＩＲ吸収材料は、波長の増加と共に吸収が増加する傾向を示す。さらに、線形可変フィルタ１１８のバンドパス幅は、通常、線形可変フィルタ１１８のスペクトル範囲にわたって１％などの一定値を呈するため、バンドパス幅に反比例する線形可変フィルタ１１８の分解能はまた、波長の増加に伴い減少する。さらに、線形可変フィルタ１１８の分解能は、一般に、線形可変フィルタの中心波長に依存する。しかしながら、光学要素１２２の非対称配置２００は、分光計装置１１２がより長い波長に対してより受容的であるのを促進する一方で、白熱灯１５６のより高い放射出力およびより短い波長でのより低いバンドパス幅は、波長範囲にわたってより均等に分散る分光計装置１１２の効率をもたらし得る。
【０１５７】
分光計装置１１２の効率は、逆作動の集光装置の側壁１６６の少なくとも１つが反射性側壁１６８である場合に、さらに増加され得る。図１Ｂに概略的に示されているように、反射性側壁１６８は、追加の光ビーム１７０＊が、反射性側壁１６８での反射により、線形可変フィルタ１１８、続いて、そこでそれらがさらに検出器信号に寄与し得る検出器アレイ１２０に案内されることを可能にする。しかしながら、図１Ａおよび１Ｂに示されるような分光計装置１１２の例示的な実施形態は、吸収性側壁（ここでは図示せず）を用いて実施することもできる。
【０１５８】
図２Ａおよび２Ｂは、逆作動の集光装置１２４の好ましい非円錐形状１７４の２つの例示的な実施形態の上面図を示す。図２Ａは、集光装置１２４の非円錐形状１７４が放物線形状１７８を含む複合放物線集光器１７６を概略的に示し、図２Ｂは、集光装置１２４の非円錐形状１７４が楕円形状１８２を含む複合楕円集光器１８０を概略的に示している。しかし、逆動作の集光装置１２４は、非円錐であるさらなる形状を呈し得る。図２Ａおよび図２Ｂの非円錐形状の逆作動の集光装置１２４のさらなる詳細については、図１Ａの円錐形状の逆作動の集光装置１２４の説明を参照されたい。
【０１５９】
さらに、図３Ａから図３Ｄは、本発明による逆作動の集光装置１２４の縦方向軸に対して横方向位置に位置する個別の側壁１６６の好ましいプロファイル１８３の例示的な実施形態の側面図を示す。ここに示されるように、個別の側壁１６６、特に反射性側壁１６８は、特に分光計装置１１２の効率をさらに向上させるために、丸みを帯びた側壁である。これにより、個別の側壁１６６のそれぞれのプロファイル１８３は、好ましくは、図３Ａ及び３Ｃに示されるような放物線プロファイル１８４から、又は図３Ｂ及び３Ｄに示されるような楕円形のプロファイルから選択されることができる。ここで、丸みを帯びた側壁は、図３Ａ及び３Ｂに示されるように、逆作動の集光装置１２４を構成し得る中空体１７８の表面に没入し得る没入プロファイル１８８を呈することができる。図３Ｃおよび３Ｄに概略的に示される代替として、丸みを帯びた側壁は、集光装置１２４が、より詳細に他の箇所で説明されるように光学的に透明な材料の中実体１９２であるか、またはそれを含んでいる場合に、集光装置１２４の表面から膨出し得る膨出プロファイル１９０を呈することができる。しかしながら、図３Ａから図３Ｄに示されるように更なる代替も、本発明による逆作動の集光装置１２４の側壁１６６に適用可能である。ここで、集光装置１２４の側壁１６６は、均一な形状であってもよく、または異なる位置で異なるタイプの形状を含んでもよい。特に、集光装置１２４の対向する側壁は、同じ方式で、または代替として、異なる方式で実装されてもよい。例として、集光装置１２４の側壁１６６の１つは、第１の種類のプロファイルを含むことができ、一方、集光装置１２４の対向する側壁１６６は、第１の種類のプロファイルとは異なる第２の種類のプロファイルを含むことができる。
【０１６０】
図４は、特に、屈折レンズ２０２であり得るか、またはそれを含み得る伝達要素２００が、好ましくは、物体１１２と線形可変フィルタ１１８との間に光学要素１２２として配置される、さらなる実施形態の上面図を示している。好ましくは、屈折レンズ２０２は、特に、両凸レンズ２０４、平凸レンズ、両凹レンズ、平凹レンズ、非球面レンズ、円柱レンズ及びメニスカスレンズからなる群から選択され、そこでは、特に両凸レンズ２０４が好ましい。図４に概略的に示されているように、屈折レンズ２０２は、好ましくは対称体を有して良いが、入射光１１４が、光軸１２３に対して非対称の光路に沿って線形可変フィルタ１１８に伝達されるように、光軸１２３に対して非対称に配置され得る。具体的には、屈折レンズ２０２の対称軸１６４は、直線可変フィルタ１１８の受信面１３６に垂直な平面に好ましくは平行な分光器１１２の光軸１２３に対して、角度αだけ傾いていてもよい。しかし、他の種類の伝達要素２００、特に複合レンズ（ここでは図示せず）、およびそのさらなる種類の配置も可能である。その結果、傾斜された屈折レンズ２０２は、ここでは、傾斜された光円錐を生成するために使用することができ、そこでは、すべての入射光ビームが、より長い波長を受信するように適合され得る線形可変フィルタ１１８の空間位置１３８に向けられるように配置され得る。
【０１６１】
図５Ａおよび５Ｂは、少なくとも１つのバッフル２０４が非対称配置で使用される分光計装置１１２のさらなる例示的実施形態の上面図を示している。しかしながら、他の種類の非対称バッフル配置も考えられる。
【０１６２】
図５Ａに概略的に示されるように、多数の平面バッフルプレート２０６を含むバッフル２０４は、互いに平行に配置されている。ここで、入射光ビームは、好ましくは、バッフルプレート２０６の配置に平行な光ビームがバッフル２０４を通過し、一方、バッフル２０４へ異なる入射角を示す光ビームは、バッフルプレート２０６の表面の設計に応じて、反射または吸収されるように、２つの隣接するバッフルプレート２０６の間を通過することができる。本発明による所望の非対称配置を達成するために、図５Ａの例示的な実施形態におけるバッフル２０４は、線形可変フィルタ１１８の受信面１３６に対して垂直な平面に対して好ましくは平行な分光計装置１１２の光軸１２３に対して、角度αだけ傾斜している。結果として、傾斜されたバッフル２０４は、より長い波長を受信するように適合され得る線形可変フィルタ１１８の空間位置１３８にすべての入射光ビームが向けられるように、すべての入射光ビームを案内するためにここで使用され得る。
【０１６３】
図５Ｂは、バッフル２０４の非対称配置が、バッフル２０４を分光計装置１１２の光軸１２３に対して平行に配置することによって達成される、分光計装置１１２のさらなる例示的な実施形態を示しているが、しかしながら、そこではバッフルプレート２０６の１種類の表面の選択された区分２０８がコーティングされている。ここで、コーティングは、公知のコーティング方法、特に傾斜真空蒸着を使用することによって達成され得る。しかしながら、他の種類のコーティング方法も適用可能である。その結果、入射光ビームは、好ましくは、バッフルプレート２０６の配置に平行な光ビームがバッフル２０４を通過し、一方、バッフル２０４への異なる入射角を示す光ビームが、それらがバッフルプレート２０６の表面の片側の選択的にコーティングされた区分２０８に入射するかどうかに依存して、反射または吸収されるように、２つの隣接するバッフルプレート２０６の間を通過することができる。
【符号の説明】
【０１６４】
１１０  分光計システム
１１２  分光計装置
１１４  入射光
１１６  物体
１１８  可変長フィルタの好ましい例としての線形可変フィルタ
１２０  検出器アレイ
１２２  光学要素
１２３  光軸
１２４  逆作動の集光装置
１２６  逆方向
１２８  円錐形状
１３０  入力
１３２  ガイド構造
１３４  出力
１３６  受信面
１３８，１３８’  空間位置
１４０  応答コーティング
１４２  透明基板
１４４  ピクセル化センサ
１４６  透明な隙間
１４８  信号線
１５０  評価ユニット
１５２  信号評価ユニット
１５４  照射源
１５６  白熱灯
１５８  照射制御ユニット
１６０  データ取得装置
１６２  ハウジング
１６４  対称軸
１６５  中空体
１６６  個別の側壁
１６８  反射性側壁
１７０，１７０’，１７０’’，１７０＊  光ビーム
１７２  検出器信号
１７４  非円錐形状
１７６  複合放物線集光器
１７８  放物線形状
１８０  複合楕円集光器
１８２  楕円形
１８３  プロファイル
１８４  放物線プロファイル
１８６  楕円形プロファイル
１８８  没入プロファイル
１９０  膨出プロファイル
１９２  中実体
２００  伝達要素
２０２  屈折レンズ
２０４  バッフル
２０６  バッフルプレート
２０８  選択的にコーティングされた区分
【図１】
2021507230.tif 000005
【図２】
2021507230.tif 000006
【図３】
2021507230.tif 000007
【図４】
2021507230.tif 000008
【図５】
2021507230.tif 000009
【国際調査報告】
2021507230.tif 000010
2021507230.tif 000011
2021507230.tif 000012
2021507230.tif 000013
2021507230.tif 000014